(57)【要約】  本発明では、無線通信システムにおいて端末が上りリンク信号を送信する方法及びそれを支援する装置を開始する。  本発明に適用可能な一例によれば、端末が時間領域で連続する第１タイプチャネルと第２タイプチャネルを送信するにおいて、端末は第１タイプチャネル送信及び第２タイプチャネル送信の間の転移区間(ｔｒａｎｓｉｅｎｔ ｐｅｒｉｏｄ)を第２タイプチャネルに対応する時間区間内に設定して第１タイプチャネル及び第２タイプチャネルを送信することができる。【選択図】図３０
2020509623.tif 000002
【特許請求の範囲】
【請求項１】
無線通信システムにおいて端末が基地局に上りリンク信号を送信する方法において、
１つ又は２つのシンボルで構成された第１タイプチャネルと４つ以上のシンボルで構成された第２タイプチャネルが時間領域で連続する場合、
前記第１タイプチャネル送信及び前記第２タイプチャネル送信の間の転移区間(ｔｒａｎｓｉｅｎｔ ｐｅｒｉｏｄ)を前記第２タイプチャネルに対応する時間区間内に設定して前記第１タイプチャネル及び前記第２タイプチャネルを送信する、上りリンク信号の送信方法。
【請求項２】
前記第１タイプチャネルは、
前記時間領域で前記第２タイプチャネルより先行するか又は後行する、請求項１に記載の上りリンク信号の送信方法。
【請求項３】
前記時間領域で前記第１タイプチャネルが前記第２タイプチャネルより先行する場合、前記端末は前記第１タイプチャネルの送信オン(ＯＮ)電力の終了時点を前記第１タイプチャネルと前記第２タイプチャネルの境界に設定して前記第１タイプチャネルを送信する、請求項２に記載の上りリンク信号の送信方法。
【請求項４】
前記時間領域で前記第１タイプチャネルが前記第２タイプチャネルより後行する場合、前記端末は前記第１タイプチャネルの送信オン(ＯＮ)電力の開始時点を前記第１タイプチャネルと前記第２タイプチャネルの境界に設定して前記第１タイプチャネルを送信する、請求項２に記載の上りリンク信号の送信方法。
【請求項５】
前記第１タイプチャネル送信及び前記第２タイプチャネル送信の間の転移区間は、前記第１タイプチャネルと前記第２タイプチャネルの境界に位置する前記第２タイプチャネルに対応する１つのシンボル内に設定される、請求項１に記載の上りリンク信号の送信方法。
【請求項６】
前記時間領域で前記第１タイプチャネルが前記第２タイプチャネルより先行し、前記端末が前記第２タイプチャネルに連続してサウンド参照信号(ｓｏｕｎｄｉｎｇ ｒｅｆｅｒｅｎｃｅ ｓｉｇｎａｌ；ＳＲＳ)を送信する場合、
前記端末は、前記第２タイプチャネル送信と前記ＳＲＳ送信の間の追加転移区間(ｔｒａｎｓｉｅｎｔ ｐｅｒｉｏｄ)を前記第２タイプチャネルに対応する追加時間区間内に設定して前記第２タイプチャネル及び前記ＳＲＳを送信する、請求項２に記載の上りリンク信号の送信方法。
【請求項７】
前記第１タイプチャネルは１つ又は２つのシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)に対応する、請求項１に記載の上りリンク信号の送信方法。
【請求項８】
前記第２タイプチャネルは４つ以上のシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)又は物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)に対応する、請求項１に記載の上りリンク信号の送信方法。
【請求項９】
無線通信システムにおいて基地局に上りリンク信号を送信する端末において、
送信器と、
前記送信器に連結して動作するプロセッサを含み、
１つ又は２つのシンボルで構成された第１タイプチャネルと４つ以上のシンボルで構成された第２タイプチャネルが時間領域で連続する場合、前記プロセッサは前記第１タイプチャネル送信及び前記第２タイプチャネル送信の間の転移区間(ｔｒａｎｓｉｅｎｔ ｐｅｒｉｏｄ)を前記第２タイプチャネルに対応する時間区間内に設定して前記第１タイプチャネル及び前記第２タイプチャネルを送信するように構成される、端末。
【請求項１０】
前記第１タイプチャネルは、
前記時間領域で前記第２タイプチャネルより先行するか又は後行する、請求項９に記載の端末。
【請求項１１】
前記時間領域で前記第１タイプチャネルが前記第２タイプチャネルより先行する場合、前記プロセッサは前記第１タイプチャネルの送信オン(ＯＮ)電力の終了時点を前記第１タイプチャネルと前記第２タイプチャネルの境界に設定して前記第１タイプチャネルを送信するように構成される、請求項１０に記載の端末。
【請求項１２】
前記時間領域で前記第１タイプチャネルが前記第２タイプチャネルより後行する場合、前記プロセッサは前記第１タイプチャネルの送信オン(ＯＮ)電力の開始時点を前記第１タイプチャネルと前記第２タイプチャネルの境界に設定して前記第１タイプチャネルを送信するように構成される、請求項１０に記載の端末。
【請求項１３】
前記第１タイプチャネル送信及び前記第２タイプチャネル送信の間の転移区間は、前記第１タイプチャネルと前記第２タイプチャネルの境界に位置する前記第２タイプチャネルに対応する１つのシンボル内に設定される、請求項９に記載の端末。
【請求項１４】
前記時間領域で前記第１タイプチャネルが前記第２タイプチャネルより先行し、前記プロセッサが前記第２タイプチャネルに連続してサウンド参照信号(ｓｏｕｎｄｉｎｇ ｒｅｆｅｒｅｎｃｅ ｓｉｇｎａｌ；ＳＲＳ)を送信するように構成される場合、
前記プロセッサは、前記第２タイプチャネル送信と前記ＳＲＳ送信の間の追加転移区間(ｔｒａｎｓｉｅｎｔ ｐｅｒｉｏｄ)を前記第２タイプチャネルに対応する追加時間区間内に設定して前記第２タイプチャネル及び前記ＳＲＳを送信するように構成される、請求項１０に記載の端末。
【請求項１５】
前記第１タイプチャネルは１つ又は２つのシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)に対応する、請求項９に記載の端末。
【請求項１６】
前記第２タイプチャネルは４つ以上のシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)又は物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)に対応する、請求項９に記載の端末。
【発明の詳細な説明】
【技術分野】
【０００１】
以下の説明は無線通信システムに関し、無線通信システムにおいて端末が上りリンク信号を送信する方法及びそれを支援する装置に関する。
【背景技術】
【０００２】
無線接続システムが音声やデータなどの種々の通信サービスを提供するために広範囲に展開されている。一般に、無線接続システムは可用のシステムリソース(帯域幅、送信電力など)を共有して複数のユーザとの通信を支援できる多重接続(ｍｕｌｔｉｐｌｅ ａｃｃｅｓｓ)システムである。多重接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【０００３】
なお、多数の通信機器がより大きな通信容量を要求することにより、既存のＲＡＴ(ｒａｄｉｏ ａｃｃｅｓｓ ｔｅｃｈｎｏｌｏｇｙ)に比べて向上したモバイルブロードバンド通信の必要性が高まっている。また、多数の機器及び物事を連結していつでもどこでも多様なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)が次世代通信において考えられている。さらに信頼性及び遅延などに敏感なサービス／ＵＥを考慮した通信システムのデザインも考えられている。
【０００４】
このように向上したモバイルブロードバンド通信、大規模ＭＴＣ、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮した次世代ＲＡＴの導入が論議されている。
【発明の概要】
【発明が解決しようとする課題】
【０００５】
本発明の目的は、無線通信システムにおいて端末が上りリンク信号を送信する方法及びそれを支援する装置を提供することにある。
【０００６】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００７】
本発明は、無線通信システムにおいて端末が上りリンク信号を送信する方法及びそれを支援する装置を提供する。
【０００８】
本発明の一態様として、無線通信システムにおいて端末が基地局に上りリンク信号を送信する方法において、１つ又は２つのシンボルで構成された第１タイプチャネルと４つ以上のシンボルで構成された第２タイプチャネルが時間領域で連続する場合、第１タイプチャネル送信及び第２タイプチャネル送信の間の転移区間(ｔｒａｎｓｉｅｎｔ ｐｅｒｉｏｄ)を第２タイプチャネルに対応する時間区間内に設定して第１タイプチャネル及び第２タイプチャネルを送信する、上りリンク信号の送信方法を提案する。
【０００９】
本発明の他の態様として、無線通信システムにおいて基地局に上りリンク信号を送信する端末において、送信器と、該送信器に連結して動作するプロセッサを含み、１つ又は２つのシンボルで構成された第１タイプチャネルと４つ以上のシンボルで構成された第２タイプチャネルが時間領域で連続する場合、プロセッサは第１タイプチャネル送信及び第２タイプチャネル送信の間の転移区間(ｔｒａｎｓｉｅｎｔ ｐｅｒｉｏｄ)を第２タイプチャネルに対応する時間区間内に設定して第１タイプチャネル及び第２タイプチャネルを送信するように構成される、端末を提案する。
【００１０】
上記構成において、第１タイプチャネルは、時間領域で第２タイプチャネルより先行するか又は後行するチャネルに対応する。
【００１１】
一例として、時間領域で第１タイプチャネルが第２タイプチャネルより先行する場合、端末は第１タイプチャネルの送信オン(ＯＮ)電力の終了時点を第１タイプチャネルと第２タイプチャネルの境界に設定して第１タイプチャネルを送信する。
【００１２】
他の例として、時間領域で第１タイプチャネルが第２タイプチャネルより後行する場合、端末は第１タイプチャネルの送信オン(ＯＮ)電力の開始時点を第１タイプチャネルと第２タイプチャネルの境界に設定して第１タイプチャネルを送信する。
【００１３】
また上記構成において、第１タイプチャネル送信及び第２タイプチャネル送信の間の転移区間は、第１タイプチャネルと第２タイプチャネルの境界に位置する第２タイプチャネルに対応する１つのシンボル内に設定される。
【００１４】
また時間領域で第１タイプチャネルが第２タイプチャネルより先行し、プロセッサが第２タイプチャネルに連続してサウンド参照信号(ｓｏｕｎｄｉｎｇ ｒｅｆｅｒｅｎｃｅ ｓｉｇｎａｌ；ＳＲＳ)を送信するように構成される場合、端末は第２タイプチャネル送信とＳＲＳ送信の間の追加転移区間(ｔｒａｎｓｉｅｎｔ ｐｅｒｉｏｄ)を第２タイプチャネルに対応する追加時間区間内に設定して第２タイプチャネル及びＳＲＳを送信することができる。
【００１５】
本発明において、第１タイプチャネルは１つ又は２つのシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)に対応する。
【００１６】
また第２タイプチャネルは４つ以上のシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)又は物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)に対応する。
【００１７】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００１８】
本発明の実施例によれば、次のような効果がある。
【００１９】
本発明によれば、端末は１つ又は２つのシンボルで構成されるチャネル(例：１つ又は２つのシンボルで構成されるＰＵＣＣＨ)の送信区間(ｄｕｒａｔｉｏｎ)を最大限に保護することができ、これにより１つ又は２つのシンボルで構成されるチャネルの送信信頼度を高めることができる。
【００２０】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００２１】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号(ｒｅｆｅｒｅｎｃｅ ｎｕｍｅｒａｌｓ)は構造的構成要素(ｓｔｒｕｃｔｕｒａｌ ｅｌｅｍｅｎｔｓ)を意味する。
【図１】物理チャネル及びそれらを用いた信号送信方法を説明するための図である。
【図２】無線フレームの構造の一例を示す図である。
【図３】下りリンクスロットに対するリソースグリッド(ｒｅｓｏｕｒｃｅ ｇｒｉｄ)を例示する図である。
【図４】上りリンクサブフレームの構造の一例を示す図である。
【図５】下りリンクサブフレームの構造の一例を示す図である。
【図６】タイプ１のフレーム構造及びタイプ２のフレーム構造のための一般的なＯＮ／ＯＦＦタイムマスクを例示する図である。
【図７】タイプ３のフレーム構造のための一般的なＯＮ／ＯＦＦタイムマスクを例示する図である。
【図８】ＰＲＡＣＨタイムマスクを例示する図である。
【図９】タイプ１のフレーム構造及びタイプ２のフレーム構造のためのＳＲＳタイムマスクを例示する図である。
【図１０】タイプ３のフレーム構造のためのＳＲＳタイムマスクを例示する図である。
【図１１】ＵｐＰＴＳ送信の場合、二重ＳＲＳのタイムマスクを例示する図である。
【図１２】スロット／サブフレーム境界におけるＯＮ／ＯＦＦタイムマスクを例示する図である。
【図１３】スロット／サブフレーム境界におけるＯＮ／ＯＦＦタイムマスクを例示する図である。
【図１４】ＰＵＣＣＨ／ＰＵＳＣＨ／ＳＲＳタイムマスクの例示を示す図である。
【図１５】ＰＵＣＣＨ／ＰＵＳＣＨ／ＳＲＳタイムマスクの例示を示す図である。
【図１６】ＰＵＣＣＨ／ＰＵＳＣＨ／ＳＲＳタイムマスクの例示を示す図である。
【図１７】ＰＵＣＣＨ／ＰＵＳＣＨ／ＳＲＳタイムマスクの例示を示す図である。
【図１８】ＰＵＣＣＨ／ＰＵＳＣＨ／ＳＲＳタイムマスクの例示を示す図である。
【図１９】ＰＵＣＣＨ／ＰＵＳＣＨ／ＳＲＳタイムマスクの例示を示す図である。
【図２０】本発明に適用可能なセルフサブフレーム構造(Ｓｅｌｆ−Ｃｏｎｔａｉｎｅｄ ｓｕｂｆｒａｍｅ ｓｔｒｕｃｔｕｒｅ)を示す図である。
【図２１】ＴＸＲＵとアンテナ要素(ｅｌｅｍｅｎｔ)の代表的な連結方式を示す図である。
【図２２】ＴＸＲＵとアンテナ要素(ｅｌｅｍｅｎｔ)の代表的な連結方式を示す図である。
【図２３】本発明の一例によるＴＸＲＵ及び物理的アンテナの観点におけるハイブリッドビーム形成の構造を簡単に示す図である。
【図２４】本発明の一例による下りリンク(Ｄｏｗｎｌｉｎｋ、ＤＬ)の送信過程において、同期信号(Ｓｙｎｃｈｒｏｎｉｚａｔｉｏｎ ｓｉｇｎａｌ)とシステム情報(Ｓｙｓｔｅｍ ｉｎｆｏｒｍａｔｉｏｎ)に対するビーム掃引(Ｂｅａｍ ｓｗｅｅｐｉｎｇ)動作を簡単に示す図である。
【図２５】本発明に適用可能な一般的なＯＮ／ＯＦＦタイムマスクを示す図である。
【図２６】本発明に適用可能な一般的なＯＮ／ＯＦＦタイムマスクを示す図である。
【図２７】ホッピングの境界にある２つのシンボルに対するＯＮ／ＯＦＦタイムマスクの例示を示す図である。
【図２８】ホッピングの境界にある２つのシンボルに対するＯＮ／ＯＦＦタイムマスクの例示を示す図である。
【図２９】本発明によって１つのスロット内でｌｏｎｇ ＰＵＣＣＨ及びＰＵＳＣＨがＦＤＭされて送信される構成を示す図である。
【図３０】本発明に適用可能な端末の上りリンク信号送信の流れ図を示す図である。
【図３１】提案する実施例を具現できる端末及び基地局の構成を示す図である。
【発明を実施するための形態】
【００２２】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００２３】
図面に関する説明において、本発明の要旨を曖昧にさせ得る手順又は段階などは記述を省略し、当業者のレベルで理解可能な程度の手順又は段階も記述を省略する。
【００２４】
明細書全体を通じて、ある部分がある構成要素を「含む(ｃｏｍｐｒｉｓｉｎｇ又はｉｎｃｌｕｄｉｎｇ)」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現することができる。また、「ある(ａ又はａｎ)」、「１つ(ｏｎｅ)」、「その(ｔｈｅ)」及び類似の関連語は、本発明を記述する文脈において(特に、以下の請求項の文脈において)本明細書に別に指示されたり文脈によって明らかに反駁されない限り、単数及び複数の両方を含む意味で使うことができる。
【００２５】
この明細書において本発明の実施例は基地局と移動局の間のデータ送受信関係を中心に説明されている。ここで、基地局は、移動局と通信を直接行うネットワークの終端ノード(ｔｅｒｍｉｎａｌ ｎｏｄｅ)としての意味を有する。本文書において基地局によって行われるとされている特定動作は、場合によっては、基地局の上位ノード(ｕｐｐｅｒ ｎｏｄｅ)によって行われてもよい。
【００２６】
即ち、基地局を含む複数のネットワークノード(ｎｅｔｗｏｒｋ ｎｏｄｅ)からなるネットワークにおいて、移動局との通信のために行われる様々な動作は、基地局、又は基地局以外の他のネットワークノードで行うことができる。このとき、「基地局」は、固定局(ｆｉｘｅｄ ｓｔａｔｉｏｎ)、Ｎｏｄｅ Ｂ、ｅＮｏｄｅ Ｂ(ｅＮＢ)、発展した基地局(ＡＢＳ：Ａｄｖａｎｃｅｄ Ｂａｓｅ Ｓｔａｔｉｏｎ)又はアクセスポイント(ａｃｃｅｓｓ ｐｏｉｎｔ)などの用語に言い換えることができる。
【００２７】
また、本発明の実施例において、端末(Ｔｅｒｍｉｎａｌ)は、ユーザ機器(ＵＥ：Ｕｓｅｒ Ｅｑｕｉｐｍｅｎｔ)、移動局(ＭＳ：Ｍｏｂｉｌｅ Ｓｔａｔｉｏｎ)、加入者端末(ＳＳ：Ｓｕｂｓｃｒｉｂｅｒ Ｓｔａｔｉｏｎ)、移動加入者端末(ＭＳＳ：Ｍｏｂｉｌｅ Ｓｕｂｓｃｒｉｂｅｒ Ｓｔａｔｉｏｎ)、移動端末(Ｍｏｂｉｌｅ Ｔｅｒｍｉｎａｌ)、又は発展した移動端末(ＡＭＳ：Ａｄｖａｎｃｅｄ Ｍｏｂｉｌｅ Ｓｔａｔｉｏｎ)などの用語に言い換えることができる。
【００２８】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００２９】
本発明の実施例は、無線接続システムであるＩＥＥＥ ８０２．ｘｘシステム、３ＧＰＰ(３ｒｄ Ｇｅｎｅｒａｔｉｏｎ Ｐａｒｔｎｅｒｓｈｉｐ Ｐｒｏｊｅｃｔ)システム、３ＧＰＰ ＬＴＥシステム及び３ＧＰＰ２システムのうち少なくとも１つに開示されている標準文書によってサポートすることができ、特に、本発明の実施例は、３ＧＰＰ ＴＳ ３６．２１１、３ＧＰＰ ＴＳ ３６．２１２、３ＧＰＰ ＴＳ ３６．２１３、３ＧＰＰ ＴＳ ３６．３２１及び３ＧＰＰ ＴＳ ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００３０】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００３１】
また、本発明の実施例で使われる特定用語は本発明の理解易さのために提供されるものであり、このような特定用語の使用は本発明の技術的思想を逸脱しない範囲で他の形態に変更されてもよい。
【００３２】
以下、本発明の実施例を利用可能な無線接続システムの一例として３ＧＰＰ ＬＴＥ／ＬＴＥ−Ａシステムだけではなく、３ＧＰＰ ＮＲシステムについて説明する。
【００３３】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような様々な無線接続システムに適用することができる。
【００３４】
ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)やＣＤＭＡ２０００のような無線技術(ｒａｄｉｏ ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現することができる。ＯＦＤＭＡは、ＩＥＥＥ ８０２．１１(ＷｉＦｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などのような無線技術によって具現することができる。
【００３５】
ＵＴＲＡはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ ＬＴＥ(Ｌｏｎｇ Ｔｅｒｍ Ｅｖｏｌｕｔｉｏｎ)はＥ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)システムは３ＧＰＰ ＬＴＥシステムを改良したシステムである。
【００３６】
本発明の技術的特徴に関する説明を明確にするために、本発明の実施例は３ＧＰＰ ＬＴＥ／ＬＴＥ−Ａシステムだけではなく、３ＧＰＰ ＮＲシステムを中心に述べられるが、ＩＥＥＥ ８０２．１６ｅ／ｍシステムなどに適用されてもよい。
【００３７】
１．３ＧＰＰ ＬＴＥ／ＬＴＥ Ａシステム
【００３８】
１．１．物理チャネル及びこれを用いた信号送受信方法
【００３９】
無線接続システムにおいて端末は下りリンク(ＤＬ：Ｄｏｗｎｌｉｎｋ)で基地局から情報を受信し、上りリンク(ＵＬ：Ｕｐｌｉｎｋ)で基地局に情報を送信する。基地局と端末とが送受信する情報は一般データ情報及び種々の制御情報を含み、基地局と端末とが送受信する情報の種類／用途によって様々な物理チャネルが存在する。
【００４０】
図１は、本発明の実施例で使用可能な物理チャネル及びそれらを用いた信号送信方法を説明するための図である。
【００４１】
電源が消えた状態で電源がついたり、新しくセルに進入したりした端末は、Ｓ１１段階で、基地局と同期を取るなどの初期セル探索(Ｉｎｉｔｉａｌ ｃｅｌｌ ｓｅａｒｃｈ)作業を行う。そのために、端末は基地局から主同期チャネル(Ｐ−ＳＣＨ：Ｐｒｉｍａｒｙ Ｓｙｎｃｈｒｏｎｉｚａｔｉｏｎ Ｃｈａｎｎｅｌ)及び副同期チャネル(Ｓ−ＳＣＨ：Ｓｅｃｏｎｄａｒｙ Ｓｙｎｃｈｒｏｎｉｚａｔｉｏｎ Ｃｈａｎｎｅｌ)を受信して基地局と同期を取り、セルＩＤなどの情報を取得する。
【００４２】
その後、端末は基地局から物理放送チャネル(ＰＢＣＨ：Ｐｈｙｓｉｃａｌ Ｂｒｏａｄｃａｓｔ Ｃｈａｎｎｅｌ)信号を受信してセル内放送情報を取得することができる。
【００４３】
一方、端末は初期セル探索段階で下りリンク参照信号(ＤＬ ＲＳ：Ｄｏｗｎｌｉｎｋ Ｒｅｆｅｒｅｎｃｅ Ｓｉｇｎａｌ)を受信して下りリンクチャネル状態を確認することができる。
【００４４】
初期セル探索を終えた端末は、Ｓ１２段階で、物理下りリンク制御チャネル(ＰＤＣＣＨ：Ｐｈｙｓｉｃａｌ Ｄｏｗｎｌｉｎｋ Ｃｏｎｔｒｏｌ Ｃｈａｎｎｅｌ)、及び物理下りリンク制御チャネル情報に対応する物理下りリンク共有チャネル(ＰＤＳＣＨ：Ｐｈｙｓｉｃａｌ Ｄｏｗｎｌｉｎｋ Ｃｏｎｔｒｏｌ Ｃｈａｎｎｅｌ)を受信して、より具体的なシステム情報を取得することができる。
【００４５】
その後、端末は基地局への接続を完了するために、段階Ｓ１３〜段階Ｓ１６のようなランダムアクセス過程(Ｒａｎｄｏｍ Ａｃｃｅｓｓ Ｐｒｏｃｅｄｕｒｅ)を行うことができる。そのために、端末は物理ランダムアクセスチャネル(ＰＲＡＣＨ：Ｐｈｙｓｉｃａｌ Ｒａｎｄｏｍ Ａｃｃｅｓｓ Ｃｈａｎｎｅｌ)でプリアンブル(ｐｒｅａｍｂｌｅ)を送信し(Ｓ１３)、物理下りリンク制御チャネル及びそれに対応する物理下りリンク共有チャネルでプリアンブルに対する応答メッセージを受信することができる(Ｓ１４)。競合ベースのランダムアクセスでは、端末は、更なる物理ランダムアクセスチャネル信号の送信(Ｓ１５)、及び物理下りリンク制御チャネル信号及びそれに対応する物理下りリンク共有チャネル信号の受信(Ｓ１６)のような衝突解決手順(Ｃｏｎｔｅｎｔｉｏｎ Ｒｅｓｏｌｕｔｉｏｎ Ｐｒｏｃｅｄｕｒｅ)を行うことができる。
【００４６】
上述したような手順を行った端末は、その後、一般的な上りリンク／下りリンク信号送信手順として、物理下りリンク制御チャネル信号及び／又は物理下りリンク共有チャネル信号の受信(Ｓ１７)、及び物理上りリンク共有チャネル(ＰＵＳＣＨ：Ｐｈｙｓｉｃａｌ Ｕｐｌｉｎｋ Ｓｈａｒｅｄ Ｃｈａｎｎｅｌ)信号及び／又は物理上りリンク制御チャネル(ＰＵＣＣＨ：Ｐｈｙｓｉｃａｌ Ｕｐｌｉｎｋ Ｃｏｎｔｒｏｌ Ｃｈａｎｎｅｌ)信号の送信(Ｓ１８)を行うことができる。
【００４７】
端末が基地局に送信する制御情報を総称して上りリンク制御情報(ＵＣＩ：Ｕｐｌｉｎｋ Ｃｏｎｔｒｏｌ Ｉｎｆｏｒｍａｔｉｏｎ)という。ＵＣＩは、ＨＡＲＱ−ＡＣＫ／ＮＡＣＫ(Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ Ｒｅｑｕｅｓｔ)、ＣＱＩ(Ｃｈａｎｎｅｌ Ｑｕａｌｉｔｙ Ｉｎｄｉｃａｔｉｏｎ)、ＰＭＩ(Ｐｒｅｃｏｄｉｎｇ Ｍａｔｒｉｘ Ｉｎｄｉｃａｔｉｏｎ)、ＲＩ(Ｒａｎｋ Ｉｎｄｉｃａｔｉｏｎ)情報などを含む。
【００４８】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００４９】
１．２．リソースの構造
【００５０】
図２は、本発明の実施例で用いられる無線フレームの構造を示す図である。
【００５１】
図２(ａ)にはタイプ１フレーム構造(ｆｒａｍｅ ｓｔｒｕｃｔｕｒｅ ｔｙｐｅ１)を示す。タイプ１フレーム構造は、全二重(ｆｕｌｌ ｄｕｐｌｅｘ)ＦＤＤ(Ｆｒｅｑｕｅｎｃｙ Ｄｉｖｉｓｉｏｎ Ｄｕｐｌｅｘ)システムにも半二重(ｈａｌｆ ｄｕｐｌｅｘ)ＦＤＤシステムにも適用可能である。
【００５２】
１無線フレーム(ｒａｄｉｏ ｆｒａｍｅ)はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム(ｒａｄｉｏ ｆｒａｍｅ)は１０個のサブフレーム(ｓｕｂｆｒａｍｅ)で構成される。１サブフレームを送信するためにかかる時間をＴＴＩ(ｔｒａｎｓｍｉｓｓｉｏｎ ｔｉｍｅ ｉｎｔｅｒｖａｌ)という。ここで、Ｔｓはサンプリング時間を表し、Ｔｓ＝１／(１５ｋＨｚ×２０４８)＝３．２５５２×１０−８(約３３ｎｓ)と表示される。スロットは時間領域において複数のＯＦＤＭシンボル又はＳＣ−ＦＤＭＡシンボルを含み、周波数領域において複数のリソースブロック(Ｒｅｓｏｕｒｃｅ Ｂｌｏｃｋ)を含む。
【００５３】
１スロットは時間領域において複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含む。３ＧＰＰ ＬＴＥは下りリンクにおいてＯＦＤＭＡを用いるので、ＯＦＤＭシンボルは１シンボル区間(ｓｙｍｂｏｌ ｐｅｒｉｏｄ)を表現するためのものである。ＯＦＤＭシンボルは１つのＳＣ−ＦＤＭＡシンボル又はシンボル区間ということができる。リソースブロック(ｒｅｓｏｕｒｃｅ ｂｌｏｃｋ)はリソース割り当て単位であり、１つのスロットで複数の連続した副搬送波(ｓｕｂｃａｒｒｉｅｒ)を含む。
【００５４】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００５５】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００５６】
図２(ｂ)にはタイプ２フレーム構造(ｆｒａｍｅ ｓｔｒｕｃｔｕｒｅ ｔｙｐｅ２)を示す。タイプ２フレーム構造はＴＤＤシステムに適用される。１無線フレーム(ｒａｄｉｏ ｆｒａｍｅ)はＴｆ＝３０７２００＊Ｔｓ＝１０ｍｓの長さを有し、１５３６００＊Ｔｓ＝５ｍｓの長さを有する２個のハーフフレーム(ｈａｌｆ−ｆｒａｍｅ)で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／(１５ｋＨｚ×２０４８)＝３．２５５２×１０−８(約３３ｎｓ)と表示される。
【００５７】
タイプ２フレームにはＤｗＰＴＳ(Ｄｏｗｎｌｉｎｋ Ｐｉｌｏｔ Ｔｉｍｅ Ｓｌｏｔ)、保護区間(ＧＰ：Ｇｕａｒｄ Ｐｅｒｉｏｄ)、ＵｐＰＴＳ(Ｕｐｌｉｎｋ Ｐｉｌｏｔ Ｔｉｍｅ Ｓｌｏｔ)の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間に下りリンク信号の多重経路遅延によって上りリンクにおいて干渉を除去するための区間である。
【００５８】
次の表１は、特別フレームの構成(ＤｗＰＴＳ／ＧＰ／ＵｐＰＴＳの長さ)を表す。
【００５９】
【表１】
2020509623.tif 000003
【００６０】
またＬＴＥ Ｒｅｌ−１３システムにおいては、特別フレームの構成(ＤｗＰＴＳ／ＧＰ／ＵｐＰＴＳの長さ)が下記の表のようにＸ(追加的なＳＣ−ＦＤＭＡのシンボルの数、上位階層パラメータｓｒｓ−ＵｐＰｔｓＡｄｄにより提供され、パラメータが設定されないと、Ｘは０である)を考慮して設定される構成が新しく追加されており、ＬＴＥ Ｒｅｌ−１４システムにおいては、Ｓｐｅｃｉａｌ ｓｕｂｆｒａｍｅ ｃｏｎｆｉｇｕｒａｔｉｏｎ＃１０が新しく追加されている。ここで、ＵＥは、下りリンクにおける一般ＣＰのためのＳｐｅｃｉａｌ ｓｕｂｆｒａｍｅ ｃｏｎｆｉｇｕｒａｔｉｏｎｓ｛３，４，７，８｝及び下りリンクにおける拡張されたＣＰのためのＳｐｅｃｉａｌ ｓｕｂｆｒａｍｅ ｃｏｎｆｉｇｕｒａｔｉｏｎｓ｛２，３，５，６｝に対して２つの追加ＵｐＰＴＳ ＳＣ−ＦＤＭＡシンボルが設定されることを期待しない。さらに、ＵＥは、下りリンクにおける一般ＣＰのためのＳｐｅｃｉａｌ ｓｕｂｆｒａｍｅ ｃｏｎｆｉｇｕｒａｔｉｏｎｓ｛１，２，３，４，６，７，８｝及び下りリンクにおける拡張されたＣＰのためのＳｐｅｃｉａｌ ｓｕｂｆｒａｍｅ ｃｏｎｆｉｇｕｒａｔｉｏｎｓ｛１，２，３，５，６｝に対して４つの追加ＵｐＰＴＳ ＳＣ−ＦＤＭＡシンボルが設定されることを期待しない。(Ｔｈｅ ＵＥ ｉｓ ｎｏｔ ｅｘｐｅｃｔｅｄ ｔｏ ｂｅ ｃｏｎｆｉｇｕｒｅｄ ｗｉｔｈ ２ ａｄｄｉｔｉｏｎａｌ ＵｐＰＴＳ ＳＣ−ＦＤＭＡ ｓｙｍｂｏｌｓ ｆｏｒ ｓｐｅｃｉａｌ ｓｕｂｆｒａｍｅ ｃｏｎｆｉｇｕｒａｔｉｏｎｓ{３，４，７，８} ｆｏｒ ｎｏｒｍａｌ ｃｙｃｌｉｃ ｐｒｅｆｉｘ ｉｎ ｄｏｗｎｌｉｎｋ ａｎｄ ｓｐｅｃｉａｌ ｓｕｂｆｒａｍｅ ｃｏｎｆｉｇｕｒａｔｉｏｎｓ{２，３，５，６} ｆｏｒ ｅｘｔｅｎｄｅｄ ｃｙｃｌｉｃ ｐｒｅｆｉｘ ｉｎ ｄｏｗｎｌｉｎｋ ａｎｄ ４ ａｄｄｉｔｉｏｎａｌ ＵｐＰＴＳ ＳＣ−ＦＤＭＡ ｓｙｍｂｏｌｓ ｆｏｒ ｓｐｅｃｉａｌ ｓｕｂｆｒａｍｅ ｃｏｎｆｉｇｕｒａｔｉｏｎｓ{１，２，３，４，６，７，８} ｆｏｒ ｎｏｒｍａｌ ｃｙｃｌｉｃ ｐｒｅｆｉｘ ｉｎ ｄｏｗｎｌｉｎｋ ａｎｄ ｓｐｅｃｉａｌ ｓｕｂｆｒａｍｅ ｃｏｎｆｉｇｕｒａｔｉｏｎｓ{１，２，３，５，６} ｆｏｒ ｅｘｔｅｎｄｅｄ ｃｙｃｌｉｃ ｐｒｅｆｉｘ ｉｎ ｄｏｗｎｌｉｎｋ)
【００６１】
【表２】
2020509623.tif 000004
【００６２】
タイプ３のフレーム構造(ｆｒａｍｅ ｓｔｒｕｃｔｕｒｅ ｔｙｐｅ ３)はひたすら一般循環前置(ｎｏｒｍａｌ ｃｙｃｌｉｃ ｐｒｅｆｉｘ)であるＬＡＡ(Ｌｉｃｅｎｓｅｄ Ａｓｓｉｓｔｅｄ Ａｃｃｅｓｓ) ＳＣｅｌｌに対して適用できる。各々の無線フレームは
2020509623.tif 000005
の長さを有し、
2020509623.tif 000006
の長さの２０つのスロットで構成される。この時、各スロットは０から１９まで番号付けされる。１つのサブフレームのインデックスがｉである場合、サブフレームｉはスロットインデックス２ｉ及び２ｉ+１に対応する２つの連続するスロットと定義される。
【００６３】
１つの無線フレーム内における１０つのサブフレームは、ＤＬ又はＵＬ送信のために利用可能である。ＤＬ送信は１つのサブフレーム内のどこでも開始され、全体占有された(ｆｕｌｌｙ ｏｃｃｕｐｉｅｄ)又は表２のＤｗＰＴＳ区間のうちの１つによる最後のサブフレームで終了する１つ以上の連続するサブフレームを占有する。ＵＬ送信は１つ以上の連続するサブフレームを占有する。
【００６４】
図３は、本発明の実施例で利用可能な下りリンクスロットに対するリソースグリッド(ｒｅｓｏｕｒｃｅ ｇｒｉｄ)を例示する図である。
【００６５】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００６６】
リソースグリッド上で各要素(ｅｌｅｍｅｎｔ)をリソース要素(ｒｅｓｏｕｒｃｅ ｅｌｅｍｅｎｔ)といい、１つのリソースブロックは１２×７個のリソース要素を含む。下りリンクスロットに含まれるリソースブロックの数ＮＤＬは、下りリンク送信帯域幅(ｂａｎｄｗｉｄｔｈ)に従属する。
【００６７】
図４には、本発明の実施例で利用可能な上りリンクサブフレームの構造を示す。
【００６８】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界(ｓｌｏｔ ｂｏｕｎｄａｒｙ)で周波数ホッピング(ｆｒｅｑｕｅｎｃｙ ｈｏｐｐｉｎｇ)する、という。
【００６９】
図５は、本発明の実施例で利用可能な下りリンクサブフレームの構造を示す図である。
【００７０】
図５を参照すると、サブフレームにおける一番目のスロットにおいてＯＦＤＭシンボルインデックス０から最大で３個までのＯＦＤＭシンボルが、制御チャネルが割り当てられる制御領域(ｃｏｎｔｒｏｌ ｒｅｇｉｏｎ)であり、残りのＯＦＤＭシンボルは、ＰＤＳＣＨが割り当てられるデータ領域(ｄａｔａ ｒｅｇｉｏｎ)である。３ＧＰＰ ＬＴＥで用いられる下りリンク制御チャネルの例に、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ、ＰＨＩＣＨ(Ｐｈｙｓｉｃａｌ Ｈｙｂｒｉｄ−ＡＲＱ  Ｉｎｄｉｃａｔｏｒ Ｃｈａｎｎｅｌ)などがある。
【００７１】
ＰＣＦＩＣＨはサブフレームの一番目のＯＦＤＭシンボルで送信され、サブフレームにおいて制御チャネルの送信のために用いられるＯＦＤＭシンボルの数(すなわち、制御領域のサイズ)に関する情報を搬送する。ＰＨＩＣＨは、上りリンクに対する応答チャネルであり、ＨＡＲＱ(Ｈｙｂｒｉｄ Ａｕｔｏｍａｔｉｃ Ｒｅｐｅａｔ Ｒｅｑｕｅｓｔ)に対するＡＣＫ(Ａｃｋｎｏｗｌｅｄｇｅｍｅｎｔ)／ＮＡＣＫ(Ｎｅｇａｔｉｖｅ−Ａｃｋｎｏｗｌｅｄｇｅｍｅｎｔ)信号を搬送する。ＰＤＣＣＨで送信される制御情報を下りリンク制御情報(ＤＣＩ：ｄｏｗｎｌｉｎｋ ｃｏｎｔｒｏｌ ｉｎｆｏｒｍａｔｉｏｎ)という。下りリンク制御情報は、上りリンクリソース割り当て情報、下りリンクリソース割り当て情報、又は任意の端末グループに対する上りリンク送信(Ｔｘ)電力制御命令を含む。
【００７２】
１．３．ＯＮ／ＯＦＦタイムマスク(ＯＮ/ＯＦＦ ｔｉｍｅ ｍａｓｋ)
【００７３】
送信器は典型的に出力電力をターンオン(ｔｕｒｎ−ｏｎ)するだけではなく出力電力をターンオフ(ｔｕｒｎ−ｏｆｆ)するために一定時間を必要とする。これは出力電力をターンオン及びターンオフすることが直ちに発生しないことを意味する。さらに、オン状態及びオフ状態の間における急な転移によって、隣接する搬送波上に望まない信号が放射される(即ち、不要放射)ことができる。よって、不要放射は特定のレベルに制限される必要がある。従って、送信器がオフ状態からオン状態にスイッチングされるか、その逆にスイッチングされる区間である転移区間(ｔｒａｎｓｉｅｎｔ ｐｅｒｉｏｄ)が存在する。また上りリンクの場合は、ＰＵＳＣＨ、ＰＵＣＣＨ、ＳＲＳのような物理階層チャネル(又は信号)によってサブフレームごとに電力割り当てを異なるように設定して、連続するチャネルの間に電力差が発生する場合にも同様に転移区間(ｔｒａｎｓｉｅｎｔ ｐｅｒｉｏｄ)が存在する。
【００７４】
以下、ＯＮ／ＯＦＦタイムマスク(ＯＮ／ＯＦＦ ｔｉｍｅ ｍａｓｋ)について図面を参照しながら説明する。
【００７５】
図６はタイプ１のフレーム構造及びタイプ２のフレーム構造のための一般的なＯＮ／ＯＦＦタイムマスクを例示する図である。
【００７６】
図６を参照すると、タイプ１のフレーム構造及びタイプ２のフレーム構造のための一般的なＯＮ／ＯＦＦタイムマスクは、ＯＦＦパワーからＯＮパワーへの出力パワーをターンオンする時に観察される区間、及び逆にＯＮパワーからＯＦＦパワーへの出力パワーをターンオフする時に観察される区間と定義される。かかるＯＮ／ＯＦＦタイムマスクは、ＤＴＸ(Ｄｉｓｃｏｎｔｉｎｕｅｄ ｔｒａｎｓｍｉｓｓｉｏｎ)区間、測定ギャップ(ｍｅａｓｕｒｅｍｅｎｔ ｇａｐ)、隣接／非隣接送信の開始又は終了時に発生する。
【００７７】
ＯＦＦパワー測定期間(ＯＦＦ ｐｏｗｅｒ ｍｅａｓｕｒｅｍｅｎｔ ｐｅｒｉｏｄ)は、転移区間を除いた少なくとも１つのサブフレームの区間により定義される。またＯＮパワーは１つのサブフレームで転移区間を除いた区間の間における平均パワーにより定義される。ここで、ＯＦＦパワー区間及びＯＮパワー区間では、各々ＯＦＦパワー及びＯＮパワーの要求事項を満たさなければならないが、転移区間では上りリンク送信パワーに対する要求事項が定義されていない。
【００７８】
以下の説明において、ＯＮとＯＦＦの間の転移区間でマイクロ秒(μs)が消耗されると仮定したが、これは許容される最大区間であり、ＵＥの具現によっては、より早いＯＮ／ＯＦＦの間の変換が可能である。 
【００７９】
転移区間の長さは以下の表に特定された値より長くてはいけない。
【００８０】
【表３】
2020509623.tif 000007
【００８１】
図７はタイプ３のフレーム構造のための一般的なＯＮ／ＯＦＦタイムマスクを例示する図である。
【００８２】
図７に示したように、タイプ３のフレーム構造のための一般的なＯＮ／ＯＦＦタイムマスクは、関連するＤＣＩにより指示されたサブフレームの開始に比べて相対的に
2020509623.tif 000008
ほどＰＵＳＣＨの開始位置が修訂される(ｍｏｄｉｆｉｅｄ)。ここで、
2020509623.tif 000009
及び基本時間単位
2020509623.tif 000010
は３ＧＰＰ ＴＳ ３６.２１１に定義されているように、
2020509623.tif 000011
は以下の数式により決定され、Ｔｓ＝１／(１５ｋＨｚ×２０４８)＝３.２５５２×１０−８(約３３ｎｓ)である。
【００８３】
【数１】
2020509623.tif 000012
【００８４】
ここで、ＮＴＡはＵＥに対するＴＡ(Ｔｉｍｉｎｇ Ａｄｖａｎｃｅ)値を示し、ＮＣＰ,０ は一般ＣＰである場合は１６０、拡張ＣＰである場合は５１２の値を示し、Ｎ＝２０４８である。
【００８５】
３ＧＰＰ ＴＳ ３６.２１２に特定されているように、関連するＤＣＩに含まれたＰＵＳＣＨ終了シンボルを指示するビットが各々‘０’及び‘１’値を指示する場合、サブフレームの終了においてｔｅｎｄ値は各々０及びＴｓｙｍｂに対応する。ここで、Ｔｓｙｍｂは最後のＳＣ−ＦＤＭＡシンボルの長さを示す。ＯＦＦマスク要求事項は、送信された最後のシンボルの終了から５ｕｓ後に適用する。
【００８６】
図８はＰＲＡＣＨタイムマスクを例示する図である。
【００８７】
図８に示したように、ＰＲＡＣＨのＯＮパワーは転移区間を除いたＰＲＡＣＨ測定区間の間における平均パワーにより定義される。異なるＰＲＡＣＨ ｐｒｅａｍｂｌｅ ｆｏｒｍａｔごとの測定区間の長さは以下の表の通りである。
【００８８】
【表４】
2020509623.tif 000013
【００８９】
図９はタイプ１のフレーム構造及びタイプ２のフレーム構造のためのＳＲＳタイムマスクを例示する図であり、図１０はタイプ３のフレーム構造のためのＳＲＳタイムマスクを例示する図であり、図１１はＵｐＰＴＳ送信の場合、二重ＳＲＳタイムマスクを例示する図である。
【００９０】
図９及び図１０に示したように、単一ＳＲＳ送信の場合、ＯＮパワーは転移区間を除いたシンボル区間の間における平均パワーにより定義される。
【００９１】
図１１に示したように、二重ＳＲＳ送信の場合、ＯＮパワーは転移区間を除いた各シンボル区間のための平均パワーにより定義される。
【００９２】
図１２及び図１３はスロット／サブフレーム境界におけるＯＮ／ＯＦＦタイムマスクを例示する図である。
【００９３】
図１２及び図１３を参照すると、サブフレーム境界タイムマスクは以前又はその後のサブフレームと(参照)サブフレームとの間で観察される区間により定義される。
【００９４】
特に、図１２の例示において、Ｎ０サブフレームとＮ+１ サブフレームの間と、またＮ+１サブフレームとＮ+２サブフレームの間に各々４０マイクロ秒(μs)長さの転移区間(２０μs＋２０μs)が設定される。ここで、サブフレーム内のスロット境界における転移区間は、イントラ−サブフレーム周波数ホッピング(ｈｏｐｐｉｎｇ)の場合にのみ設定され、スロット境界の両側に２０マイクロ秒(μs)ずつ設定される。
【００９５】
図１３に示したように、関連するＤＣＩ内においてＰＵＳＣＨの終了シンボルを指示するビットが‘１’値を有し、ＰＵＳＣＨの開始位置が次のサブフレームで
2020509623.tif 000014
ほど調整される(ｍｏｄｉｆｉｅｄ)場合、タイプ３のフレーム構造のためのサブフレームタイムマスクは定義される。ここで、Ｔｓｙｍｂは終了ＳＣ−ＦＤＭＡシンボルの長さを示す。ＯＦＦパワー要求事項は、送信された最後のシンボルの終了から５ｕｓ後に適用する。
【００９６】
図１４乃至図１９はＰＵＣＣＨ／ＰＵＳＣＨ／ＳＲＳタイムマスクの例示を示す図である。
【００９７】
まずＰＵＣＣＨ／ＰＵＳＣＨ／ＳＲＳマスクは、サウンド参照シンボル(ＳＲＳ)、隣接するＰＵＳＣＨ／ＰＵＣＣＨシンボル及び次のサブフレームの間で観察される区間と定義される。以下、ＳＲＳとは、サウンド参照信号自体を意味するか、又はサウンド参照信号が送信されるサウンド参照シンボルを意味する。特に言及しない限り、以下、ＰＵＣＣＨ／ＰＵＳＣＨ／ＳＲＳタイムマスクは全てのタイプのフレーム構造及び承認されたＰＵＣＣＨ／ＰＵＳＣＨ／ＳＲＳ送信のために適用できる。
【００９８】
具体的には、図１４はＳＲＳの前に送信があり、その後には送信がない場合(ｗｈｅｎ ｔｈｅｒｅ ｉｓ ａ ｔｒａｎｓｍｉｓｓｉｏｎ ｂｅｆｏｒｅ ＳＲＳ ｂｕｔ ｎｏｔ ａｆｔｅｒ)、タイプ１のフレーム構造及びタイプ２のフレーム構造のためのＰＵＣＣＨ／ＰＵＳＣＨ／ＳＲＳタイムマスクの例示を示す。
【００９９】
図１５はＳＲＳの前に送信があり、その後には送信がない場合(ｗｈｅｎ ｔｈｅｒｅ ｉｓ ａ ｔｒａｎｓｍｉｓｓｉｏｎ ｂｅｆｏｒｅ ＳＲＳ ｂｕｔ ｎｏｔ ａｆｔｅｒ)、タイプ３のフレーム構造のためのＰＵＣＣＨ／ＰＵＳＣＨ／ＳＲＳタイムマスクの例示を示す。ここで、ＯＦＦパワー要求事項は、送信された最後のシンボルの終了から５ｕｓ後に適用する。
【０１００】
図１６はＳＲＳの前後に送信がある場合、ＰＵＣＣＨ／ＰＵＳＣＨ／ＳＲＳタイムマスクの例示を示す。
【０１０１】
図１７はＳＲＳの後に送信があり、その前には送信がない場合(Ｗｈｅｎ ｔｈｅｒｅ ｉｓ ａ ｔｒａｎｓｍｉｓｓｉｏｎ ａｆｔｅｒ ＳＲＳ ｂｕｔ ｎｏｔ ｂｅｆｏｒｅ)ＰＵＣＨ／ＰＵＳＣＨ／ＳＲＳタイムマスクの例示を示す。
【０１０２】
図１８はＦＤＤ ＳＲＳブランキングがある場合(ｗｈｅｎ ｔｈｅｒｅ ｉｓ ＦＤＤ ＳＲＳ ｂｌａｎｋｉｎｇ)、タイプ１のフレーム構造及びタイプ２のフレーム構造のためのＳＲＳタイムマスクの例示を示す。
【０１０３】
図１９はＳＲＳブランキングがある場合(ｗｈｅｎ ｔｈｅｒｅ ｉｓ ＳＲＳ ｂｌａｎｋｉｎｇ)、タイプ３のフレーム構造のためのＳＲＳタイムマスクの例示を示す。より具体的には、ＳＲＳブランキングがある場合、ＳＲＳシンボル以後の送信及び
2020509623.tif 000015
ほど調整されたＰＵＳＣＨの開始位置を有するＳＲＳタイムマスクは図１９のように示すことができる。
【０１０４】
２．新しい無線接続技術(Ｎｅｗ ｒａｄｉｏ Ａｃｃｅｓｓ Ｔｅｃｈｎｏｌｏｇｙ)システム
【０１０５】
多数の通信機器がより大きな通信容量を要求することにより、既存の無線接続技術(ｒａｄｉｏ ａｃｃｅｓｓ ｔｅｃｈｎｏｌｏｇｙ、ＲＡＴ)に比べて向上した端末広帯域(Ｍｏｂｉｌｅ Ｂｒｏａｄｂａｎｄ)通信の必要性が高まっている。また多数の機器及び物事を連結していつでもどこでも多様なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)も必要となっている。さらに信頼性及び遅延などに敏感なサービス／ＵＥを考慮した通信システムのデザインが提示されている。
【０１０６】
このように向上した端末広帯域通信(Ｅｎｈａｎｃｅｄ ｍｏｂｉｌｅ ｂｒｏａｄｂａｎｄ ｃｏｍｍｕｎｉｃａｔｉｏｎ)、大規模ＭＴＣ、ＵＲＬＬＣ(Ｕｌｔｒａ−Ｒｅｌｉａｌｂｅ ａｎｄ Ｌｏｗ Ｌａｔｅｎｃｙ Ｃｏｍｍｕｎｉｃａｔｉｏｎ)などを考慮した新しい無線接続技術であって、新しい無線接続技術システムが提案されている。以下、本発明では便宜上、該当技術をＮｅｗ ＲＡＴ又はＮＲ(Ｎｅｗ Ｒａｄｉｏ)と称する。
【０１０７】
２．１．ニューマロロジー(Ｎｕｍｅｒｉｏｌｏｇｉｅｓ)
【０１０８】
本発明が適用可能なＮＲシステムにおいては、以下の表のような様々なＯＦＤＭニューマロロジーが支援されている。この時、搬送波帯域幅部分(ｃａｒｒｉｅｒ ｂａｎｄｗｉｄｔｈ ｐａｒｔ)ごとのμ及び循環前置(ｃｙｃｌｉｃ ｐｒｅｆｉｘ)情報は、下りリンク(ＤＬ)又は上りリンク(ＵＬ)ごとに各々シグナリングされる。一例として、下りリンク搬送波帯域幅部分(ｄｏｗｎｌｉｎｋ ｃａｒｒｉｅｒ ｂａｎｄｗｉｄｔｈ ｐａｒｔ)のためのμ及び循環前置(ｃｙｃｌｉｃ ｐｒｅｆｉｘ)情報は、上位階層シグナリングＤＬ−ＢＷＰ−ｍｕ及びＤＬ−ＭＷＰ−ｃｐを通じてシグナリングされる。他の例として、上りリンク搬送波帯域幅部分(ｕｐｌｉｎｋ ｃａｒｒｉｅｒ ｂａｎｄｗｉｄｔｈ ｐａｒｔ)のためのμ及び循環前置(ｃｙｃｌｉｃ ｐｒｅｆｉｘ)情報は、上位階層シグナリングＵＬ−ＢＷＰ−ｍｕ及びＵＬ−ＭＷＰ−ｃｐを通じてシグナリングされる。
【０１０９】
【表５】
2020509623.tif 000016
【０１１０】
２．２．フレーム構造
【０１１１】
下りリンク及び上りリンクの伝送は１０ｍｓ長さのフレームで構成される。フレームは１ｍｓ長さの１０つのサブフレームで構成される。この時、各々のサブフレームごとに連続するＯＦＤＭのシンボルの数は
2020509623.tif 000017
である。
【０１１２】
各々のフレームは２つの同じサイズのハーフフレーム(ｈａｌｆ−ｆｒａｍｅ)で構成される。この時、各々のハーフフレームはサブフレーム０−４及びサブフレーム５−９で構成される。
【０１１３】
副搬送波間隔(ｓｕｂｃａｒｒｉｅｒ ｓｐａｃｉｎｇ)μに対して、スロットは１つのサブフレーム内において昇順に
2020509623.tif 000018
のようにナンバリングされ、１つのフレーム内において昇順に
2020509623.tif 000019
のようにナンバリングされる。この時、１つのスロット内に連続するＯＦＤＭのシンボル
の数
2020509623.tif 000020
は、循環前置によって以下の表のように決定される。１つのサブフレーム内の開始スロット
2020509623.tif 000021
は、同じサブフレーム内の開始ＯＦＤＭのシンボル
2020509623.tif 000022
と時間の次元で整列されている(ａｌｉｇｎｅｄ)。以下の表６は一般循環前置(ｎｏｒｍａｌ ｃｙｃｌｉｃ ｐｒｅｆｉｘ)のためのスロットごと／フレームごと／サブフレームごとのＯＦＤＭのシンボルの数を示し、表７は拡張された循環前置(ｅｘｔｅｎｄｅｄ ｃｙｃｌｉｃ ｐｒｅｆｉｘ)のためのスロットごと／フレームごと／サブフレームごとのＯＦＤＭのシンボルの数を示す。
【０１１４】
【表６】
2020509623.tif 000023
【０１１５】
【表７】
2020509623.tif 000024
【０１１６】
本発明が適用可能なＮＲシステムにおいては、上記のようなスロット構造であって、セルフスロット構造(Ｓｅｌｆ−Ｃｏｎｔａｉｎｅｄ ｓｕｂｆｒａｍｅ ｓｔｒｕｃｔｕｒｅ)が適用されている。
【０１１７】
図２０は本発明に適用可能なセルフサブフレーム構造(Ｓｅｌｆ−Ｃｏｎｔａｉｎｅｄ ｓｕｂｆｒａｍｅ ｓｔｒｕｃｔｕｒｅ)を示す図である。
【０１１８】
図２０において、斜線領域(例えば、ｓｙｍｂｏｌ ｉｎｄｅｘ＝０)は下りリンク制御(ｄｏｗｎｌｉｎｋ ｃｏｎｔｒｏｌ)領域を示し、黒色領域(例えば、ｓｙｍｂｏｌ ｉｎｄｅｘ＝１３)は上りリンク制御(ｕｐｌｉｎｋ ｃｏｎｔｒｏｌ)領域を示す。その他の領域(例えば、ｓｙｍｂｏｌ ｉｎｄｅｘ＝１〜１２)は下りリンクデータ伝送又は上りリンクデータ伝送のために使用される。
【０１１９】
このような構造により基地局及びＵＥは１つのスロット内でＤＬ伝送とＵＬ伝送を順次に行うことができ、１つのスロット内でＤＬデータを送受信し、これに対するＵＬ ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【０１２０】
このようなセルフスロット構造においては、基地局とＵＥが送信モードから受信モードに、又は受信モードから送信モードに転換するために一定の時間長さのタイムギャップ(ｔｉｍｅ ｇａｐ)が必要である。このために、セルフスロット構造においてＤＬからＵＬに転換される時点の一部ＯＦＤＭシンボルは、ガード区間(ｇｕａｒｄ ｐｅｒｉｏｄ、ＧＰ)として設定されることができる。
【０１２１】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１２２】
一例として、スロットは様々なスロットフォーマットを有することができる。この時、各々のスロットのＯＦＤＭシンボルは下りリンク(‘Ｄ’と表す)、フレキシブル(‘Ｘ’と表す)及び上りリンク(‘Ｕ’と表す)に分類される。
【０１２３】
従って、下りリンクスロットにおいてＵＥは下りリンク伝送が‘Ｄ’及び‘Ｘ’シンボルでのみ発生すると仮定できる。同様に、上りリンクスロットにおいてＵＥは上りリンク伝送が‘Ｕ’及び‘Ｘ’シンボルでのみ発生すると仮定できる。
【０１２４】
２．３．アナログビーム形成(Ａｎａｌｏｇ Ｂｅａｍｆｏｒｍｉｎｇ)
【０１２５】
ミリ波(Ｍｉｌｌｉｍｅｔｅｒ Ｗａｖｅ、ｍｍＷ)では波長が短いので、同一面積に多数のアンテナ要素(ｅｌｅｍｅｎｔ)の設置が可能である。即ち、３０ＧＨｚ帯域において波長は１ｃｍであるので、５＊５ｃｍのパネルに０．５ｌａｍｂｄａ(波長)間隔で２次元(２−ｄｉｍｅｎｓｉｏｎ)配列する場合、総１００個のアンテナ要素を設けることができる。これにより、ミリ波(ｍｍＷ)では多数のアンテナ要素を使用してビーム形成(ｂｅａｍｆｏｒｍｉｎｇ、ＢＦ)利得を上げてカバレッジを増加させるか、或いはスループット(ｔｈｒｏｕｇｈｐｕｔ)を向上させることができる。
【０１２６】
この時、アンテナ要素ごとに伝送パワー及び位相の調節ができるように、各々のアンテナ要素はＴＸＲＵ(ｔｒａｎｓｃｅｉｖｅｒ)を含む。これにより、各々のアンテナ要素は周波数リソースごとに独立的なビーム形成を行うことができる。
【０１２７】
しかし、１００余個の全てのアンテナ要素にＴＸＲＵを設けることは費用面で実効性が乏しい。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビーム形成方式では全帯域において１つのビーム方向のみを形成できるので、周波数選択的なビーム形成が難しいという短所がある。
【０１２８】
これを解決するために、デジタルビーム形成及びアナログビーム形成の中間形態として、Ｑ個のアンテナ要素より少ない数のＢ個のＴＸＲＵを有するハイブリッドビーム形成(ｈｙｂｒｉｄ ＢＦ)が考えられる。この場合、Ｂ個のＴＸＲＵとＱ個のアンテナ要素の連結方式によって差はあるが、同時に伝送可能なビームの方向はＢ個以下に制限される。
【０１２９】
図２１及び図２２は、ＴＸＲＵとアンテナ要素(ｅｌｅｍｅｎｔ)の代表的な連結方式を示す図である。ここで、ＴＸＲＵ仮想化(ｖｉｒｔｕａｌｉｚａｔｉｏｎ)モデルは、ＴＸＲＵの出力信号とアンテナ要素の出力信号との関係を示す。
【０１３０】
図２１はＴＸＲＵがサブアレイ(ｓｕｂ−ａｒｒａｙ)に連結された方式を示している。図２１の場合、アンテナ要素は１つのＴＸＲＵのみに連結される。
【０１３１】
反面、図２２はＴＸＲＵが全てのアンテナ要素に連結された方式を示している。図２２の場合、アンテナ要素は全てのＴＸＲＵに連結される。この時、アンテナ要素が全てのＴＸＲＵに連結されるためには、図２２に示したように、別の加算器が必要である。
【０１３２】
図２１及び図２２において、Ｗはアナログ位相シフター(ａｎａｌｏｇ ｐｈａｓｅ ｓｈｉｆｔｅｒ)により乗じられる位相ベクトルを示す。即ち、Ｗはアナログビーム形成の方向を決定する主要パラメータである。ここで、ＣＳＩ−ＲＳアンテナポートと複数のＴＸＲＵとのマッピングは１：１又は１：多である。
【０１３３】
図２１の構成によれば、ビーム形成のフォーカシングが難しいという短所があるが、全てのアンテナ構成を低価で構成できるという長所がある。
【０１３４】
図２２の構成によれば、ビーム形成のフォーカシングが容易であるという長所がある。但し、全てのアンテナ要素にＴＸＲＵが連結されるので、全体費用が増加するという短所がある。
【０１３５】
本発明が適用可能なＮＲシステムにおいて、複数のアンテナが使用される場合、デジタルビーム形成(Ｄｉｇｉｔａｌ ｂｅａｍｆｏｒｍｉｎｇ)及びアナログビーム形成を結合したハイブリッドビーム形成(ｈｙｂｒｉｄ ｂｅａｍｆｏｒｍｉｎｇ)方式が適用される。この時、アナログビーム形成(又はＲＦ(ｒａｄｉｏ ｆｒｅｑｕｅｎｃｙ)ビーム形成)は、ＲＦ端でプリコーディング(又は組み合わせ(ｃｏｍｂｉｎｉｎｇ))を行う動作を意味する。またハイブリッドビーム形成において、ベースバンド(ｂａｓｅｂａｎｄ)端とＲＦ端は各々プリコーティング(又は組み合わせ)を行う。これによりＲＦチェーンの数とＤ／Ａ(Ｄｉｇｉｔａｌ ｔｏ ａｎａｌｏｇ)(又はＡ／Ｄ(ａｎａｌｏｇ ｔｏ ｄｉｇｉｔａｌ))コンバーターの数を減らしながらデジタルビーム形成に近接する性能を得られるという長所がある。
【０１３６】
説明の便宜上、ハイブリッドビーム形成の構造は、Ｎ個の送受信端(ｔｒａｎｓｃｅｉｖｅｒ ｕｎｉｔ、ＴＸＲＵ)とＭ個の物理的アンテナで表すことができる。この時、送信端から伝送するＬ個のデータ階層(ｄｉｇｉｔａｌ ｌａｙｅｒ)に対するデジタルビーム形成は、Ｎ＊Ｌ(Ｌ ｂｙ Ｌ)行列で表される。その後、変換されたＮ個のデジタル信号はＴＸＲＵを介してアナログ信号に変換され、変換された信号に対してＭ＊Ｎ(Ｍ ｂｙ Ｎ)行列で表されるアナログビーム形成が適用される。
【０１３７】
図２３は、本発明の一例によるＴＸＲＵ及び物理的アンテナ観点におけるハイブリッドビーム形成の構造を簡単に示す図である。この時、図２３においてデジタルビームの数はＬ個であり、アナログビームの数はＮ個である。
【０１３８】
さらに、本発明が適用可能なＮＲシステムにおいては、基地局がアナログビーム形成をシンボル単位で変更できるように設計して、所定の地域に位置した端末に効率的なビーム形成を支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビーム形成が適用可能な複数のアンテナパネルを導入する方案も考えられる。
【０１３９】
以上のように基地局が複数のアナログビームを活用する場合、端末ごとに信号の受信に有利なアナログビームが異なる。よって本発明が適用可能なＮＲシステムにおいては、基地局が所定のサブフレーム(ＳＦ)内でシンボルごとに異なるアナログビームを適用して(少なくとも同期信号、システム情報、ページング(ｐａｇｉｎｇ)など)信号を伝送することにより、全ての端末が受信機会を得るようにするビーム掃引(ｂｅａｍ ｓｗｅｅｐｉｎｇ)動作が考えられている。
【０１４０】
図２４は本発明の一例による下りリンク(Ｄｏｗｎｌｉｎｋ、ＤＬ)伝送過程において、同期信号(Ｓｙｎｃｈｒｏｎｉｚａｔｉｏｎ ｓｉｇｎａｌ)とシステム情報(Ｓｙｓｔｅｍ ｉｎｆｏｒｍａｔｉｏｎ)に対するビーム掃引(Ｂｅａｍ ｓｗｅｅｐｉｎｇ)動作を簡単に示す図である。
【０１４１】
図２４において、本発明が適用可能なＮＲシステムのシステム情報がブロードキャスティング(Ｂｒｏａｄｃａｓｔｉｎｇ)方式で伝送される物理的リソース(又は物理チャネル)を、ｘＰＢＣＨ(ｐｈｙｓｉｃａｌ ｂｒｏａｄｃａｓｔ ｃｈａｎｎｅｌ)と称する。この時、１つのシンボル内で互いに異なるアンテナパネルに属する複数のアナログビームは同時に伝送可能である。
【０１４２】
また図２４に示したように、本発明が適用可能なＮＲシステムにおいて、アナログビームごとのチャネルを測定するための構成であって、(所定のアンテナパネルに対応する)単一のアナログビームが適用されて伝送される参照信号(Ｒｅｆｅｒｅｎｃｅ ｓｉｇｎａｌ、ＲＳ)であるビーム参照信号(Ｂｅａｍ ＲＳ、ＢＲＳ)の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１４３】
２．４．帯域幅パート(Ｂａｎｄｗｉｄｔｈ ｐａｒｔ、ＢＷＰ)
【０１４４】
本発明が適用可能なＮＲシステムにおいて、１つの要素搬送波(ｃｏｍｐｏｎｅｎｔ ｃａｒｒｉｅｒ、ＣＣ)当たり最大４００ＭＨｚまでの帯域幅を支援できる。
【０１４５】
特定のＵＥがかかる広帯域(ｗｉｄｅｂａｎｄ)ＣＣで動作し、常にＣＣ全体に対するＲＦモジュールをオンにしたまま動作する場合、特定のＵＥのＵＥバッテリー消耗が激しくなる。 
【０１４６】
また本発明が適用可能なＮＲシステムにおいて、１つの広帯域ＣＣ内で様々な使用例(例:ｅＭＢＢ(ｅｎｈａｎｃｅｄ Ｍｏｂｉｌｅ ＢｒｏａｄＢａｎｄ)、ＵＲＬＬＣ(Ｕｌｔｒａ Ｒｅｌｉａｂｉｌｉｔｙ Ｌｏｗ Ｌａｔｅｎｃｙ Ｃｏｍｍｕｎｉｃａｔｉｏｎ)、ｍＭＴＣ(ｍａｓｓｔｉｖｅ Ｍａｃｈｉｎｅ ｔｙｐｅ Ｃｏｍｍｕｎｉｃａｔｉｏｎ)など)を支援可能な場合、ＮＲシステムでは該当ＣＣ内に周波数帯域ごとに互いに異なるニューマロロジー(例:副搬送波間隔)を支援することができる。
【０１４７】
又は本発明が適用可能なＮＲシステムで動作するＵＥはＵＥごとに最大の帯域幅に対して異なる能力(ｃａｐａｂｉｌｉｔｙ)を有する。
【０１４８】
このように様々な事項を考慮する時、ＮＲシステムの基地局はＵＥに広帯域ＣＣの全体帯域幅ではない一部の帯域幅内における動作を指示することができる。以下の説明において、一部の帯域幅を説明の便宜上、帯域幅部分(ｂａｎｄｗｉｄｔｈ ｐａｒｔ、ＢＷＰ)という。ここで、ＢＷＰは周波数軸上で連続するリソースブロック(ｒｅｓｏｕｒｃｅ ｂｌｏｃｋ、ＲＢ)で構成され、１つのニューマロロジー(例:副搬送波間隔、ＣＰ(Ｃｙｃｌｉｃ Ｐｒｅｆｉｘ)長さ、スロット／ミニスロット長さなど)に対応できる。
【０１４９】
一方、基地局はＵＥに設定された１つのＣＣ内の多数のＢＷＰを設定することができる。
【０１５０】
一例として、基地局はＰＤＣＣＨモニタリングスロット(ｍｏｎｉｔｏｒｉｎｇ Ｓｌｏｔ)に対して相対的に小さい周波数領域を占める第１ＢＷＰを設定できる。この時、ＰＤＣＣＨが指示するＰＤＳＣＨは第１ＢＷＰより大きい第２ＢＷＰ上にスケジューリングされることができる。
【０１５１】
また特定のＢＷＰに多数のＵＥが密集する場合、基地局は負荷バランシング(ｌｏａｄ ｂａｌａｎｃｉｎｇ)のために一部のＵＥに対して他のＢＷＰを設定することができる。
【０１５２】
又は隣接するセルの間の周波数次元のセル間干渉除去(ｆｒｅｑｕｅｎｃｙ ｄｏｍａｉｎ ｉｎｔｅｒ−ｃｅｌｌ ｉｎｔｅｒｆｅｒｅｎｃｅ ｃａｎｃｅｌｌａｔｉｏｎ)などを考慮して、基地局は全体帯域幅のうち、真ん中の一部スペクトラムを除いた両側のＢＷＰを同一のスロット内で設定することができる。
【０１５３】
これにより、基地局は広帯域ＣＣに関連するＵＥに少なくとも１つのＤＬ／ＵＬ ＢＷＰを設定でき、基地局は特定の時点に設定されたＤＬ／ＵＬ ＢＷＰのうち、少なくとも１つのＤＬ／ＵＬ ＢＷＰを(第１階層シグナリング(Ｌ１ ｓｉｇｎａｌｉｎｇ)又はＭＡＣ(Ｍｅｄｉｕｍ Ａｃｃｅｓｓ Ｃｏｎｔｒｏｌ)ＣＥ(Ｃｏｎｔｒｏｌ Ｅｌｅｍｅｎｔ)又はＲＲＣ(ｒａｄｉｏ Ｒｅｓｏｕｒｃｅ Ｃｏｎｔｒｏｌ)シグナリングなどにより)活性化することができる。この時、活性化されたＤＬ／ＵＬ ＢＷＰはアクティブ(ａｃｔｉｖｅ)ＤＬ／ＵＬ ＢＷＰと定義する。
【０１５４】
またＵＥが初期接続(ｉｎｉｔｉａｌ Ａｃｃｅｓｓ)過程にあるか、又はＲＲＣ連結が設定される前などの状況である場合、ＵＥは基地局からＤＬ／ＵＬ ＢＷＰに対する設定を受信できないこともできる。かかる状況でＵＥはデフォルト(ｄｅｆａｕｌｔ)ＤＬ／ＵＬ ＢＷＰを仮定することができる。このような状況でＵＥが仮定するＤＬ／ＵＬ ＢＷＰを初期アクティブ(ｉｎｉｔｉａｌ ａｃｔｉｖｅ)ＤＬ／ＵＬ ＢＷＰと定義する。
【０１５５】
２.５.ＤＣＩ ｆｏｒｍａｔ ｉｎ ＮＲ ｓｙｓｔｅｍ
【０１５６】
本発明が適用可能なＮＲシステムでは、以下のようなＤＣＩフォーマットを支援することができる。まずＮＲシステムではＰＵＳＣＨスケジューリングのためのＤＣＩフォーマットとしてＤＣＩ ｆｏｒｍａｔ ０_０、ＤＣＩ ｆｏｒｍａｔ ０_１を支援し、ＰＤＳＣＨスケジューリングのためのＤＣＩフォーマットとしてＤＣＩ ｆｏｒｍａｔ １_０、ＤＣＩ ｆｏｒｍａｔ １_１を支援することができる。また、それ以外の目的で活用できるＤＣＩフォーマットとして、ＮＲシステムではさらにＤＣＩ ｆｏｒｍａｔ ２_０、ＤＣＩ ｆｏｒｍａｔ ２_１、ＤＣＩ ｆｏｒｍａｔ ２_２、ＤＣＩ ｆｏｒｍａｔ ２_３を支援できる。
【０１５７】
ここで、ＤＣＩ ｆｏｒｍａｔ ０_０はＴＢ(ｔｒａｎｓｍｉｓｓｉｏｎ Ｂｌｏｃｋ)基盤(又はＴＢ−ｌｅｖｅｌ)のＰＵＳＣＨをスケジューリングするために使用され、ＤＣＩ ｆｏｒｍａｔ ０_１はＴＢ(ｔｒａｎｓｍｉｓｓｉｏｎ Ｂｌｏｃｋ)基盤の(又はＴＢ−ｌｅｖｅｌ)ＰＵＳＣＨ又は(ＣＢＧ(Ｃｏｄｅ Ｂｌｏｃｋ Ｇｒｏｕｐ)基盤の信号送受信が設定された場合)ＣＢＧ基盤(又はＣＢＧ−ｌｅｖｅｌ)のＰＵＳＣＨをスケジューリングするために使用される。
【０１５８】
またＤＣＩ ｆｏｒｍａｔ １_０はＴＢ基盤(又はＴＢ−ｌｅｖｅｌ)のＰＤＳＣＨをスケジューリングするために使用され、ＤＣＩ ｆｏｒｍａｔ １_１はＴＢ基盤(又はＴＢ−ｌｅｖｅｌ)のＰＤＳＣＨ又は(ＣＢＧ基盤の信号送受信が設定された場合)ＣＢＧ基盤(又はＣＢＧ−ｌｅｖｅｌ)のＰＤＳＣＨをスケジューリングするために使用される。
【０１５９】
またＤＣＩ ｆｏｒｍａｔ ２_０はスロットフォーマットを知らせるために使用され(ｕｓｅｄ ｆｏｒ ｎｏｔｉｆｙｉｎｇ ｔｈｅ Ｓｌｏｔ ｆｏｒｍａｔ)、ＤＣＩ ｆｏｒｍａｔ ２_１は特定のＵＥが意図した信号送信がないことを仮定するＰＲＢ及びＯＦＤＭシンボルを知らせるために使用され(ｕｓｅｄ ｆｏｒ ｎｏｔｉｆｙｉｎｇ ｔｈｅ ＰＲＢ(ｓ) ａｎｄ ＯＦＤＭ ｓｙｍｂｏｌ(ｓ) Ｗｈｅｒｅ ＵＥ ｍａｙ ａｓｓｕｍｅ ｎｏ ｔｒａｎｓｍｉｓｓｉｏｎ ｉｓ ｉｎｔｅｎｄｅｄ ｆｏｒ ｔｈｅ ＵＥ)、ＤＣＩ ｆｏｒｍａｔ ２_２はＰＵＣＣＨ及びＰＵＳＣＨのＴＰＣ(ｔｒａｎｓｍｉｓｓｉｏｎ Ｐｏｗｅｒ Ｃｏｎｔｒｏｌ)命令の送信のために使用され、ＤＣＩ ｆｏｒｍａｔ ２_３は１つ以上のＵＥによるＳＲＳ送信のためのＴＰＣ命令グループの送信のために使用される(ｕｓｅｄ ｆｏｒ ｔｈｅ ｔｒａｎｓｍｉｓｓｉｏｎ ｏｆ ａ ｇｒｏｕｐ ｏｆ ＴＰＣ ｃｏｍｍａｎｄｓ ｆｏｒ ＳＲＳ ｔｒａｎｓｍｉｓｓｉｏｎｓ ｂｙ ｏｎｅ ｏｒ ｍｏｒｅ ＵＥｓ)。
【０１６０】
このＤＣＩフォーマットに関する具体的な特徴は、３ＧＰＰ ＴＳ ３８．２１２文書により裏付けられる。即ち、ＤＣＩフォーマット関連特徴のうち、説明していない自明な段階又は部分は上記文書を参照して説明できる。また、この文書で開示している全ての用語は上記標準文書により説明できる。
【０１６１】
３.提案する実施例
【０１６２】
以下、上記のような技術的思想に基づいて本発明で提案する構成についてより詳しく説明する。
【０１６３】
本発明が適用可能なＮＲシステムにおいて、ＨＡＲＱ−ＡＣＫ及び／又はＣＳＩ(ｃｈａｎｎｅｌ ｓｔａｔｅ ｉｎｆｏｒｍａｔｉｏｎ)及び／又は(ｓｃｈｅｄｕｌｉｎｇ ｒｅｑｕｅｓｔ)及び／又はビーム関連情報などを含むＵＣＩ(ｕｐｌｉｎｋ ｃｏｎｔｒｏｌ ｉｎｄｉｃａｔｏｒ)は、ＰＵＣＣＨ(ｐｈｙｓｉｃａｌ ｕｐｌｉｎｋ ｃｏｎｔｒｏｌ ｃｈａｎｎｅｌ)を介して送信される。この時、本発明が適用可能なＮＲシステムでは、ＵＣＩを送信するＰＵＣＣＨとして１４つ(又は７つ)の(ＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ))シンボルで構成された１つのスロット内で１つ又は２つのシンボルで構成された相対的に短い長さのＰＵＣＣＨ(以下、説明の便宜上、ｓＰＵＣＣＨという)、及び４つ以上のシンボルで構成された相対的に長い長さのＰＵＣＣＨ(以下、説明の便宜上、ｌｏｎｇ ＰＵＣＣＨという)が支援される。
【０１６４】
また本発明が適用可能なＮＲシステムでは、ＵＬデータが送信されるＰＵＳＣＨ(ｐｈｙｓｉｃａｌ ｕｐｌｉｎｋ ｓｈａｒｅｄ ｃｈａｎｎｅｌ)として、１つのスロット内で相対的に少ない数のシンボル(例:２つ以下のシンボル)で構成されたｓＰＵＳＣＨ、及び相対的に多い数のシンボル(例:４つ以上のシンボル)で構成されたｌｏｎｇ ＰＵＳＣＨが支援されることができる。
【０１６５】
またＵＬチャネル測定(ｃｈａｎｎｅｌ ｅｓｔｉｍａｔｉｏｎ)の用途に使用されるＳＲＳ(ｓｏｕｎｄｉｎｇ ｒｅｆｅｒｅｎｃｅ ｓｉｇｎａｌ)は、ＰＵＳＣＨが送信される該当スロット内で送信されることができる。
【０１６６】
以下、本発明では、ＮＲシステムにおいてＰＵＣＣＨ／ＰＵＳＣＨ／ＳＲＳなどの上りリンク信号を送信するにおいて、ＯＮ／ＯＦＦタイムマスクを設定する方法について詳しく説明する。より具体的には、本発明では、各上りリンク信号が個々に送信される時のＯＮ／ＯＦＦタイムマスクについて説明し、スロット内の(周波数)ホッピングが設定された場合(又はスロット内(周波数)ホッピングがある場合)、及び上りリンク信号間でＴＤＭ(ｔｉｍｅ ｄｏｍａｉｎ ｍｕｌｔｉｐｌｅｘｉｎｇ)／ＦＤＭ(ｆｒｅｑｕｅｎｃｙ ｄｏｍａｉｎ ｍｕｌｔｉｐｌｅｘｉｎｇ)された場合などの様々な場合に適用可能なＯＮ／ＯＦＦタイムマスクについて詳しく説明する。
【０１６７】
上述したように、ＯＮ／ＯＦＦタイムマスクは、ＵＥがＯＦＦパワーからＯＮパワーへの出力パワーをターンオンする時に観察される区間と、逆にＵＥがＯＮパワーからＯＦＦパワーへの出力パワーをターンオフする時に観察される区間により定義される。このようにターンオン或いはターンオフする場合、一定時間の転移区間が存在し、ＯＦＦパワー測定区間は転移区間を除いた特定の区間で定義される。またＯＮパワー測定区間は転移区間を除いた一定区間の間の平均電力により定義される。
【０１６８】
言い換えれば、ＯＦＦパワー或いはＯＮパワーに関するＵＥのＲＦ ｒｅｑｕｉｒｅｍｅｎｔは該当転移区間を排除したまま満たすと十分であり、該当転移区間の間にＯＦＦパワー或いはＯＮパワーに対するさらなるＲＦ ｒｅｑｕｉｒｅｍｅｎｔは存在しない。
【０１６９】
従って、本発明によるＯＮ／ＯＦＦタイムマスクは、ＵＥのＯＮ／ＯＦＦパワー測定区間及びこれに対するＲＦ ｒｅｑｕｉｒｅｍｅｎｔが満たされなければならない区間を定義することができる。
【０１７０】
３.１.単一のチャネル／信号の一般ＯＮ／ＯＦＦタイムマスク
【０１７１】
既存のＬＴＥシステムによれば、上りリンクチャネル／信号に対する一般ＯＮ／ＯＦＦタイムマスクは大きく２つに分かれる。 
【０１７２】
図２５及び図２６は本発明に適用可能な一般的なＯＮ／ＯＦＦタイムマスクを示す図である。
【０１７３】
図２５に示したように、本発明に適用可能な一般的なＯＮ／ＯＦＦタイムマスクは、上りリンクチャネ／信号の送信区間を保護し、区間の前後にＴＰ(ｔｒａｎｓｉｅｎｔ ｐｅｒｉｏｄ)が位置するように構成される。以下、上記のようなＯＮ／ＯＦＦタイムマスクを第１オプションＯＮ／ＯＦＦタイムマスクという。即ち、ＯＮ／ＯＦＦタイムマスクは特定の上りリンクチャネル／信号の送信区間内にＴＰが含まれないように構成される。
【０１７４】
また図２６に示したように、本発明に適用可能な一般的なＯＮ／ＯＦＦタイムマスクは、上りリンクチャネル／信号の送信区間のうち、開始部分にＴＰが含まれ、最後の部分にＴＰが含まれないように構成される。以下、上記のようなＯＮ／ＯＦＦタイムマスクを第２オプションＯＮ／ＯＦＦタイムマスクという。即ち、ＯＮ／ＯＦＦタイムマスクは特定の上りリンクチャネル／信号の送信区間内にＴＰが一部含まれるように構成される。
【０１７５】
本発明によるＮＲシステムでは、上りリンクチャネル／信号に対する一般ＯＮ／ＯＦＦタイムマスクにおいて、ＳＲＳ、ｓＰＵＣＣＨは第１オプションＯＮ／ＯＦＦタイムマスクに従うように設定され、ｌｏｎｇ ＰＵＣＣＨ／ＰＵＳＣＨは第２オプションＯＮ／ＯＦＦタイムマスクに従うように設定される。
【０１７６】
又は、Ｌｏｎｇ ＰＵＣＣＨ及び／又はＰＵＳＣＨの場合は、構成するシンボル数(又は時間軸長さ、例:Ｘｕｓ)又は最初のシンボルでＤＭＲＳ(ｄｅｍｏｄｕｌａｔｉｏｎ ｒｅｆｅｒｅｎｃｅ ｓｉｇｎａｌ)が送信される否かによって、第１オプションＯＮ／ＯＦＦタイムマスク又は第２オプションＯＮ／ＯＦＦタイムマスクを従うように決定される。一例として、ｌｏｎｇ ＰＵＣＣＨ及び／又はＰＵＳＣＨを構成するシンボル数がＹ個(例:Ｙ＝７)以下である場合、遅延区間(ｔｒａｎｓｉｅｎｔ ｐｅｒｉｏｄ)に対する影響が大きいので、第１オプションＯＮ／ＯＦＦタイムマスクに従うように設定され、ｌｏｎｇ ＰＵＣＣＨ及び／又はＰＵＳＣＨを構成するシンボル数がＹシンボルを超える場合は、第２オプションＯＮ／ＯＦＦタイムマスクに従うように設定される。他の例として、ｌｏｎｇ ＰＵＣＣＨ及び／又はＰＵＳＣＨの最初のシンボルがＤＭＲＳシンボルである場合は、第１オプションＯＮ／ＯＦＦタイムマスクに従うように設定することにより該当シンボルを保護することができる。
【０１７７】
３.２.スロット内におけるホッピング時、ＯＮ／ＯＦＦタイムマスク
【０１７８】
図２７及び図２８はホッピング境界に位置する２つのシンボルに対するＯＮ／ＯＦＦタイムマスクの例示を示す図である。
【０１７９】
まず、既存のＬＴＥシステムにおいて、１つのサブフレームを構成する２つのスロットに対して周波数ホッピングが行われる場合、図２７に示したように、ホッピング境界(ｈｏｐｐｉｎｇ ｂｏｕｎｄａｒｙ)に位置する２つのシンボルにはいずれもＴＰが含まれることができる。
【０１８０】
但し、上述したように、本発明が適用可能なＮＲシステムでは、ＬＴＥシステムに比べて様々な上りリンク信号／チャネルを支援するので、以下のような様々なＯＮ／ＯＦＦタイムマスクを適用できる。
【０１８１】
一例として、本発明が適用可能なＮＲシステムにおいて、ｌｏｎｇ ＰＵＣＣＨ及び／又はＰＵＳＣＨに対してスロット内のホッピング又はイントラ−スロットホッピング(ｉｎｔｒａ−Ｓｌｏｔ ｈｏｐｐｉｎｇ)が許容されることができる。この時、図２７のように、ホッピング境界に位置する２つのシンボルにＴＰが含まれることができる。
【０１８２】
他の例として、ホッピング境界に位置する２つのシンボルのうちの１つはデータシンボル、他の１つはＤＭＲＳ(Ｄｅｍｏｄｕｌａｔｉｏｎ Ｒｅｆｅｒｅｎｃｅ Ｓｉｇｎａｌ)のように２つのシンボルのうち、１つの優先順位が高いことができる。この場合は、ホッピング境界にある２つのシンボルに対しては図２８のようなＯＮ／ＯＦＦタイムマスクが適用される。より具体的には、上記のように２つのシンボルのうちの一方の優先順位が高い場合、ＴＰはホッピング境界にある２つのシンボルのうちの１つのみに含まれるように設定される。
【０１８３】
この場合、一般的に図２８のＴＰは図２７のＴＰより大きい。 
【０１８４】
以下、説明の便宜上、ホッピング境界に位置する２つのシンボルのうち、ＴＰが全て含まれるシンボルをＶｉｃＳｙｍ(ｖｉｃｔｉｍ ｓｙｍｂｏｌ、例:図２８(ａ)のｓｙｍｂｏｌ♯Ａ又は図２８(ｂ)のｓｙｍｂｏｌ♯Ｂ)、ＴＰが含まれないシンボルをＰｒｔＳｙｍ(ｐｒｏｔｅｃｔｅｄ ｓｙｍｂｏｌ、図２８(ａ)のｓｙｍｂｏｌ♯Ｂ又は図２８(ｂ)のｓｙｍｂｏｌ♯Ａ)という。
【０１８５】
整理すると、イントラ−スロットホッピングが行われるｌｏｎｇ ＰＵＣＣＨ及び／又はＰＵＳＣＨにおいて、ホッピング境界のうち、一方のシンボルはＤＭＲＳシンボル、他方のシンボルはデータシンボルである場合、ＤＭＲＳシンボルをＰｒｔＳｙｍ(又はＶｉｃＳｙｍ)と、データシンボルをＶｉｃＳｙｍ(又はＰｒｔＳｙｍ)と設定することができる。
【０１８６】
さらに、上述した２つの例示のうち、どのＯＮ／ＯＦＦタイムマスクが適用されるかは、ｌｏｎｇ ＰＵＣＣＨ及び／又はＰＵＳＣＨを構成するシンボル数(又は時間軸長さ、例:Ｘｕｓ)又はＰＵＣＣＨフォーマットによって異なるように適用される。
【０１８７】
一例として、ｌｏｎｇ ＰＵＣＣＨ又はＰＵＳＣＨを構成するシンボル数がＺ(例:Ｚ＝７)以下であると、図２８のＯＮ／ＯＦＦタイムマスクが適用され、ｌｏｎｇ ＰＵＣＣＨ又はＰＵＳＣＨを構成するシンボル数がＺを超えると、図２７のＯＮ／ＯＦＦタイムマスクが適用される。
【０１８８】
他の例として、時間ドメインＯＣＣ(ｏｒｔｈｏｇｏｎａｌ ｃｏｖｅｒ ｃｏｄｅ)を適用するＰＵＣＣＨフォーマットについてはＲＳの直行性(ｏｒｔｈｏｇｏｎａｌｉｔｙ)の維持が重要であるので、図２８のＯＮ／ＯＦＦタイムマスクが適用される。反面、時間ドメインＯＣＣが適用されないＰＵＣＣＨフォーマットについては図２７のＯＮ／ＯＦＦタイムマスクた適用される。
【０１８９】
３.３．チャネル／信号の間のＴＤＭ時のＯＮ／ＯＦＦタイムマスク
【０１９０】
ここでは、互いに異なる上りリンクチャネル／信号の間でＴＤＭされる場合のＯＮ／ＯＦＦタイムマスクについて詳しく説明する。この度、ＴＤＭとは、互いに異なる上りリンクチャネル／信号が連続するシンボルで送信される場合を意味する。
【０１９１】
３.３.１．(ｓＰＵＣＣＨ＋ｌｏｎｇ ＰＵＣＣＨ)又は(ｓＰＵＣＣＨ＋ＰＵＳＣＨ)
【０１９２】
ｓＰＵＣＣＨとｌｏｎｇ ＰＵＣＣＨ(又はＰＵＳＣＨ)は、同じスロット／ミニスロット内で先行／後行する関係を有するか、又は互いに異なるスロット／ミニスロットに位置することができる。一例として、ｓｌｏｔ♯ｎの最後のシンボルに１−シンボル−ｓＰＵＣＣＨが位置し、ｓｌｏｔ♯ｎ＋１の最初のシンボルからｌｏｎｇ ＰＵＣＣＨ(又はＰＵＳＣＨ)が位置することもできる。他の例として、ｓｌｏｔ♯ｎの最後のシンボルまでｌｏｎｇ ＰＵＣＣＨ(／ＰＵＳＣＨ)が位置し、ｓｌｏｔ♯ｎ＋１の最初のシンボルからｓＰＵＣＣＨが位置することができる。
【０１９３】
この場合、ｓＰＵＣＣＨとｌｏｎｇ ＰＵＣＣＨ／ＰＵＳＣＨの境界に位置する２つのシンボルのうち、ｓＰＵＣＣＨに属するシンボルがＰｒｔＳｙｍと設定され、ｌｏｎｇ ＰＵＣＣＨ／ＰＵＳＣＨに属するシンボルをＶｉｃＳｙｍと設定される。又は、ｓＰＵＣＣＨとｌｏｎｇ ＰＵＣＣＨ／ＰＵＳＣＨの境界に位置する２つのシンボルのうち、ｌｏｎｇ ＰＵＣＣＨ／ＰＵＳＣＨに属するシンボルがＤＭＲＳシンボルである場合、図２７のように２つのシンボルに全てＴＰが含まれることができる。又は(ｓＰＵＣＣＨとｌｏｎｇ ＰＵＣＣＨ／ＰＵＳＣＨが同じスロットに位置する場合に限って)ｓＰＵＣＣＨに載せる情報をｌｏｎｇ ＰＵＣＣＨ／ＰＵＳＣＨを介して送信し、ｓＰＵＣＣＨは省略(ｄｒｏｐ)するように設定できる。
【０１９４】
３.３.２．ＳＲＳ＋ｓＰＵＣＣＨ
【０１９５】
基本的には、ＳＲＳとｓＰＵＣＣＨの境界に位置する２つのシンボルのうち、ｓＰＵＣＣＨに属するシンボルがＰｒｔＳｙｍと設定され、ＳＲＳに属するシンボルがＶｉｃＳｙｍと設定される。又は逆にｓＰＵＣＣＨに属するシンボルがＶｉｃＳｙｍと設定され、ＳＲＳに属するシンボルがＰｒｔＳｙｍと設定されることもできる。但し、かかる構成はＳＲＳがチャネル測定の用途ではないビーム微調整(ｂｅａｍ ｒｅｆｉｎｅｍｅｎｔ)又はビーム管理(ｂｅａｍ ｍａｎａｇｅｍｅｎｔ)の用途である場合に限って適用される。
【０１９６】
他の例として、ＵＥはｓＰＵＣＣＨとＳＲＳの間の電力を同一に調整することによって遅延区間をなくすことができる。このために、ＳＲＳの電力はｓＰＵＣＣＨの電力値に合わせて設定される。
【０１９７】
この時、(ビーム微調整又はビーム管理用の)ＳＲＳが連続して複数のシンボルで送信される場合、ｓＰＵＣＣＨの電力値に合わせて調整された電力値が複数のシンボル上のＳＲＳに共通に適用されることができる。
【０１９８】
又は、(ビーム微調整又はビーム管理用の)ＳＲＳが連続して複数のシンボルで送信される場合、ＵＥはＳＲＳ電力値を調整することではなく、ｓＰＵＣＣＨの電力値を調整することによりＳＲＳと電力値を同一に設定することができる。
【０１９９】
３.３.３．(ＳＲＳ＋ｌｏｎｇ ＰＵＣＣＨ)又は(ＳＲＳ＋ＰＵＳＣＨ)
【０２００】
ＳＲＳとｌｏｎｇ ＰＵＣＣＨ(又はＰＵＳＣＨ)は、同じスロット／ミニスロット内で先行／後行する関係を有するか、又は互いに異なるスロット／ミニスロットに位置することができる。一例として、ｓｌｏｔ♯ｎの最後のシンボルにＳＲＳが位置し、ｓｌｏｔ♯ｎ＋１の最初のシンボルからｌｏｎｇ ＰＵＣＣＨ(又はＰＵＳＣＨ)が位置することができる。他の例として、ｓｌｏｔ♯ｎの最後のシンボルまでｌｏｎｇ ＰＵＣＣＨ(又はＰＵＳＣＨ)が位置し、ｓｌｏｔ♯ｎ＋１の最初のシンボルからＳＲＳが位置することができる。
【０２０１】
この場合、本発明に適用可能な一例によれば、ＳＲＳとｌｏｎｇＰＵＣＣＨ／ＰＵＳＣＨの境界に位置する２つのシンボルのうち、ＳＲＳに属するシンボルがＰｒｔＳｙｍと設定され、ｌｏｎｇ ＰＵＣＣＨ／ＰＵＳＣＨに属するシンボルがＶｉｃＳｙｍと設定されることができる。
【０２０２】
又は、本発明に適用可能な他の例によれば、ＳＲＳとｌｏｎｇ ＰＵＣＣＨ／ＰＵＳＣＨの境界に位置する２つのシンボルのうち、ＳＲＳに属するシンボルがＶｉｃＳｙｍと設定され、ｌｏｎｇ ＰＵＣＣＨ／ＰＵＳＣＨに属するシンボルがＰｒｔＳｙｍと設定されることができる。又は、ＳＲＳが一部のシンボルのみで送信される場合は、チャネル／ビーム推定が正確に行われないことができるので、ＵＥはＳＲＳを省略(ｄｒｏｐ)し、ｌｏｎｇ ＰＵＣＣＨ／ＰＵＳＣＨに属するシンボルをＰｒｔＳｙｍと設定できる。
【０２０３】
上述した２つの例示のうちのどの方法を適用するかは、ｌｏｎｇ ＰＵＣＣＨ及び／又はＰＵＳＣＨを構成するシンボル数(又は時間軸長さ、例:Ｘｕｓ)又はＰＵＣＣＨフォーマットによって異なるように適用される。
【０２０４】
一例として、ｌｏｎｇ ＰＵＣＣＨ又はＰＵＳＣＨを構成するシンボル数がＷ(例:Ｗ＝７)以下であると、ＳＲＳに属するシンボルがＶｉｃＳｙｍと設定され、ｌｏｎｇ ＰＵＣＣＨ／ＰＵＳＣＨに属するシンボルがＰｒｔＳｙｍと設定され(又はＳＲＳとｌｏｎｇ ＰＵＣＣＨ／ＰＵＳＣＨの各々にＴＰが含まれる)、ｌｏｎｇ ＰＵＣＣＨ又はＰＵＳＣＨを構成するシンボル数がＷを超えると、ＳＲＳに属するシンボルがＰｒｔＳｙｍと設定され、ｌｏｎｇ ＰＵＣＣＨ／ＰＵＳＣＨに属するシンボルがＶｉｃＳｙｍと設定される。
【０２０５】
他の一例として、時間ドメインＯＣＣ(ｏｒｔｈｏｇｏｎａｌ ｃｏｖｅｒ ｃｏｄｅ)を適用するＰＵＣＣＨフォーマットに対してはＲＳの直交性(ｏｒｔｈｏｇｏｎａｌｉｔｙ)の維持が重要であるので、ＳＲＳに属するシンボルがＶｉｃＳｙｍと設定され、ｌｏｎｇ ＰＵＣＣＨ／ＰＵＳＣＨに属するシンボルがＰｒｔＳｙｍと設定される。反面、時間ドメインＯＣＣが適用されないＰＵＣＣＨフォーマットに対しては、ＳＲＳに属するシンボルがＰｒｔＳｙｍと設定され、ｌｏｎｇ ＰＵＣＣＨ／ＰＵＳＣＨに属するシンボルがＶｉｃＳｙｍと設定される。
【０２０６】
ここで提案する方法は、スロットごとに互いに異なるように適用できる。一例として、Ａチャネル／信号とＢチャネル／信号の境界に位置する２つのシンボルのうち、特定のスロットではＡチャネル／信号に属するシンボルがＰｒｔＳｙｍと設定され、他のスロットではＡチャネル／信号に属するシンボルがＶｉｃＳｙｍと設定されることができる。
【０２０７】
３.４．チャネル／信号の間のＦＤＭ時のＯＮ／ＯＦＦタイムマスク
【０２０８】
ここでは、互いに異なる上りリンクチャネル／信号の間でＦＤＭされる場合のＯＮ／ＯＦＦタイムマスクについて詳しく説明する。ここで、ＦＤＭとは、互いに異なる上りリンクチャネル／信号が同じ搬送波及び同じスロットで送信される場合を意味する。
【０２０９】
特に、ここではｌｏｎｇ ＰＵＣＣＨとＰＵＳＣＨがＦＤＭされる時、ｌｏｎｇ ＰＵＣＣＨとＰＵＳＣＨの時間領域における長さ(ｄｕｒａｔｉｏｎ)が異なる場合に対して適用可能なＯＮ／ＯＦＦタイムマスクについて詳しく説明する。
【０２１０】
図２９は本発明によって１つのスロット内でｌｏｎｇ ＰＵＣＣＨ及びＰＵＳＣＨがＦＤＭされて送信される構成を示す図である。
【０２１１】
図２９に示したように、１４つのシンボルで構成された１つのスロット内でＰＵＳＣＨとｌｏｎｇ ＰＵＣＣＨはＦＤＭされて送信される。この時、ＰＵＳＣＨ送信はｌｏｎｇ ＰＵＣＣＨ送信より先に開始されるか、又はＰＵＳＣＨ送信がｌｏｎｇ ＰＵＣＣＨ送信より後に終わることができる。逆に、ｌｏｎｇ ＰＵＣＣＨ送信がＰＵＳＣＨ送信より先に開始されるか、又はｌｏｎｇ ＰＵＣＣＨ送信がＰＵＳＣＨ送信より後に終わることができる。
【０２１２】
この場合、適用可能なＯＮ／ＯＦＦタイムマスクは以下の例のように構成される。
【０２１３】
３.４.１．第１例
【０２１４】
開始位置を考慮する時、図２９の例においてｓｙｍｂｏｌ♯４のみをＶｉｃＳｙｍと設定する方法(以下、Ａｌｔ １)又はｓｙｍｂｏｌ♯４とｓｙｍｂｏｌ♯５に分けてＴＰを設定する方法(以下、Ａｌｔ ２)を適用できる。
【０２１５】
２つの方法を比較すると、Ａｌｔ １の場合、ＰＵＳＣＨのみがＴＰによる影響を受けるが、Ａｌｔ ２の場合は、ＰＵＳＣＨとｌｏｎｇ ＰＵＣＣＨがいずれもＴＰによる影響を受けることができる。
【０２１６】
よってＴＰによる影響を最小化するために、Ａｌｔ １のように先行するチャネルのみにＴＰを設定することが好ましい。即ち、ＦＤＭされる２つのチャネルがｓｙｍｂｏｌ＃ｋから重畳する先に開始されるチャネルのｓｙｍｂｏｌ＃ｋ−１のみにＴＰが設定されることができる。
【０２１７】
３.４.２．第２例
【０２１８】
終了位置を考慮する時、図２９の例においてｓｙｍｂｏｌ♯１４のみをＶｉｃＳｙｍと設定する方法(以下、Ａｌｔ Ａ)又はｓｙｍｂｏｌ♯１３とｓｙｍｂｏｌ＃１４に分けてＴＰを設定する方法(以下、Ａｌｔ Ｂ)を適用できる。
【０２１９】
２つの方法を比較すると、Ａｌｔ Ａの場合、ＰＵＳＣＨのみがＴＰによる影響を受けるが、Ａｌｔ Ｂの場合は、ＰＵＳＣＨとｌｏｎｇ ＰＵＣＣＨがいずれもＴＰによる影響を受けることができる。
【０２２０】
よってＴＰによる影響を最小化するために、Ａｌｔ Ａのように後行するチャネルのみにＴＰを設定することが好ましい。即ち、ＦＤＭされる２つのチャネルがｓｙｍｂｏｌ＃ｋまで重畳する場合、後に終わるチャネルのｓｙｍｂｏｌ＃ｋ＋１のみにＴＰが設定されることができる。
【０２２１】
３.４.３．第３例
【０２２２】
又は、特定チャネルのシンボルにＴＰによる影響が大きい場合、ＵＣＩピギーバックを適用できる。これにより、ＵＥはＴＰによる影響をなくすことができる。
【０２２３】
上述した第１例又は第２例は、ｌｏｎｇ ＰＵＣＣＨとＰＵＳＣＨがＦＤＭされる場合だけではなく、長さ(ｄｕｒａｔｉｏｎ)が互いに異なる上りリンクチャネル／信号の間のＦＤＭ時にも一般的に拡張適用することができる。一例として、ｓＰＵＣＣＨ(又はＳＲＳ)とｌｏｎｇ ＰＵＣＣＨ(又はＰＵＳＣＨ)の間のＦＤＭ、ｓＰＵＣＣＨとＳＲＳの間のＦＤＭの場合にも、第１例又は第２例を同様に適用できる。
【０２２４】
３.５.ブランキング(ｂｌａｎｋｉｎｇ)ケースのＯＮ／ＯＦＦタイムマスク
【０２２５】
ここでは、スロットの一部シンボルを空けたまま送信される場合、適用可能なＯＮ／ＯＦＦタイムマスクについて詳しく説明する。
【０２２６】
スロット境界(又は設定されたミニスロットの境界)より先に上りリンクチャネル／信号の送信が終了するように設定された場合、該当チャネル／信号の最後のシンボルにＴＰが含まれるように設定できる。これは、該当チャネル／信号の送信以後に残ったスロット領域の間にＳＲＳ及び／又はｓＰＵＣＣＨなどの保護すべき重要なチャネル／信号が送信されることができるためである。
【０２２７】
逆に、スロット境界(又は設定されたミニスロットの境界)以後に上りリンクチャネル／信号の送信が開始されるように設定された場合、該当チャネル／信号の最初のシンボルにＴＰが含まれないように設定できる(即ち、最初のシンボル以前にＴＰを設定することができる)。これは、該当上りリンクチャネル／信号の開始時点の以前はＤＬ−ｔｏ−ＵＬスイッチングギャップとして活用されて、保護すべき他の上りリンクチャネル／信号が送信されないことができるためである。
【０２２８】
又は、スロット境界以後に指示された上りリンクチャネル／信号の送信開始時点以前に特定の上りリンクチャネル／信号の送信が設定された場合は(例：ｃｅｌｌ−ｓｐｅｃｉｆｉｃ ＳＲＳ)、送信する上りリンクチャネル／信号の最初のシンボルにはＴＰが含まれるように設定できる。
【０２２９】
図３０は本発明に適用可能な端末の上りリンク信号送信の流れを示す図である。
【０２３０】
本発明による端末は時間領域で連続する第１タイプチャネル(１つ又は２つのシンボルで構成)及び第２タイプチャネル(４つ以上のシンボルで構成)を送信する。
【０２３１】
このために、端末は基地局から第１タイプチャネル及び第２タイプチャネルに対するスケジューリング情報を受信する(Ｓ３０１０)。又は端末は基地局から第１タイプチャネル及び第２タイプチャネルに対する活性化(ａｃｔｉｖａｔｉｏｎ)情報を受信する。又は、上述した構成の組み合わせとして、端末は基地局から第１タイプチャネル及び第２タイプチャネルのうちの１つのチャネルに対するスケジューリング情報及び他の１つのチャネルに対する活性化情報を受信することができる。
【０２３２】
上述した構成は、本発明に適用可能な一例として、端末に対して時間領域で連続する第１タイプチャネル(１つ又は２つのシンボルで構成)及び第２タイプチャネル(４つ以上のシンボルで構成)の送信が設定されるための全ての構成が適用されることができる。
【０２３３】
次いで、端末は時間領域で連続する第１タイプチャネル及び第２タイプチャネルを送信する(Ｓ３０２０)。このために、端末は第１タイプチャネル送信及び第２タイプチャネル送信の間の転移区間を第２タイプチャネルに対応する時間区間内に設定して第１タイプチャネル及び第２タイプチャネルを送信する。
【０２３４】
本発明において、第１タイプチャネルは、時間領域で第２タイプチャネルより先行するか又は後行する。
【０２３５】
一例として、時間領域で第１タイプチャネルが第２タイプチャネルより先行する場合、端末は第１タイプチャネルの送信オン(ＯＮ)電力の終了時点を第１タイプチャネルと第２タイプチャネルの境界と設定して第１タイプチャネルを送信する。
【０２３６】
他の例として、時間領域で第１タイプチャネルが第２タイプチャネルより後行する場合、端末は第１タイプチャネルの送信オン(ＯＮ)電力の開始時点を第１タイプチャネルと第２タイプチャネルの境界と設定して第１タイプチャネルを送信する。
【０２３７】
また本発明において、第１タイプチャネル送信及び第２タイプチャネル送信の間の転移区間は、第１タイプチャネルと第２タイプチャネルの境界に位置する第２タイプチャネルに対応する１つのシンボル内に設定される。
【０２３８】
また時間領域で第１タイプチャネルが第２タイプチャネルより先行し、端末が第２タイプチャネルに連続してサウンド参照信号(ｓｏｕｎｄｉｎｇ ｒｅｆｅｒｅｎｃｅ ｓｉｇｎａｌ；ＳＲＳ)を送信する場合、端末は第２タイプチャネル送信とＳＲＳ送信の間の追加転移区間(ｔｒａｎｓｉｅｎｔ ｐｅｒｉｏｄ)を第２タイプチャネルに対応する追加時間区間内に設定して第２タイプチャネル及びＳＲＳを送信する。
【０２３９】
上記構成において、第１タイプチャネルとしては１つ又は２つのシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)が適用される。
【０２４０】
また上記構成において、第２タイプチャネルとしては４つ以上のシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)又は物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)が適用される。
【０２４１】
上述した提案方式に対する一例も本発明の具現方法の１つとして含まれてもよく、一種の提案方式と見なし得ることは明白な事実である。また、上述した提案方式は独立して具現されてもよく、一部の提案方式の組合せ（又は、併合）の形態で具現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０２４２】
４．装置構成
【０２４３】
図３１は提案する実施例を具現できる端末及び基地局の構成を示す図である。図３１に示した端末及び基地局は、上述した端末と基地局の間の上りリンク信号の送受信方法の実施例を具現するために動作する。
【０２４４】
端末(ＵＥ：Ｕｓｅｒ Ｅｑｕｉｐｍｅｎｔ)１は、上りリンクでは送信端として動作し、下りリンクでは受信端として動作することができる。また、基地局(ｅＮＢ：ｅ−Ｎｏｄｅ Ｂ又はｇＮＢ：ｎｅｗ ｇｅｎｅｒａｔｉｏｎ ＮｏｄｅＢ)１００は、上りリンクでは受信端として動作し、下りリンクでは送信端として動作することができる。
【０２４５】
即ち、端末及び基地局は、情報、データ及び／又はメッセージの送信及び受信を制御するためにそれぞれ、送信器(Ｔｒａｎｓｍｉｔｔｅｒ)１０，１１０及び受信器(Ｒｅｃｅｉｖｅｒ)２０，１２０を含むことができ、情報、データ及び／又はメッセージを送受信するためのアンテナ３０，１３０などを含むことができる。
【０２４６】
また、端末及び基地局はそれぞれ、上述した本発明の実施例を行うためのプロセッサ(Ｐｒｏｃｅｓｓｏｒ)４０，１４０、及びプロセッサの処理過程を臨時的に又は持続的に記憶できるメモリ５０，１５０を含むことができる。
【０２４７】
上記のように構成された端末及び基地局は以下のように動作する。
【０２４８】
本発明において、１つ又は２つのシンボルで構成された第１タイプチャネルと４つ以上のシンボルで構成された第２タイプチャネルが時間領域で連続すると仮定する。この時、第１タイプチャネルと第２タイプチャネルのスケジューリングは基地局により設定される。
【０２４９】
この場合、端末１は第１タイプチャネル送信及び第２タイプチャネル送信の間の転移区間(ｔｒａｎｓｉｅｎｔ ｐｅｒｉｏｄ)を第２タイプチャネルに対応する時間区間内に設定して送信器１０を介して第１タイプチャネル及び第２タイプチャネルを送信する。
【０２５０】
端末及び基地局に含まれた送信器及び受信器は、データ送信のためのパケット変復調機能、高速パケットチャネルコーディング機能、直交周波数分割多重接続(ＯＦＤＭＡ：Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)パケットスケジューリング、時分割デュプレックス(ＴＤＤ：Ｔｉｍｅ Ｄｉｖｉｓｉｏｎ Ｄｕｐｌｅｘ)パケットスケジューリング及び／又はチャネル多重化機能を有することができる。また、図３１の端末及び基地局は、低電力ＲＦ(Ｒａｄｉｏ Ｆｒｅｑｕｅｎｃｙ)／ＩＦ(Ｉｎｔｅｒｍｅｄｉａｔｅ Ｆｒｅｑｕｅｎｃｙ)ユニットをさらに含むことができる。
【０２５１】
一方、本発明において端末として、個人携帯端末機(ＰＤＡ：Ｐｅｒｓｏｎａｌ Ｄｉｇｉｔａｌ Ａｓｓｉｓｔａｎｔ)、セルラーフォン、個人通信サービス(ＰＣＳ：Ｐｅｒｓｏｎａｌ Ｃｏｍｍｕｎｉｃａｔｉｏｎ Ｓｅｒｖｉｃｅ)フォン、ＧＳＭ(Ｇｌｏｂａｌ Ｓｙｓｔｅｍ ｆｏｒ Ｍｏｂｉｌｅ)フォン、ＷＣＤＭＡ(Ｗｉｄｅｂａｎｄ ＣＤＭＡ)フォン、ＭＢＳ(Ｍｏｂｉｌｅ Ｂｒｏａｄｂａｎｄ Ｓｙｓｔｅｍ)フォン、ハンドヘルドＰＣ(Ｈａｎｄ−Ｈｅｌｄ ＰＣ)、ノートＰＣ、スマート(Ｓｍａｒｔ)フォン、又はマルチモードマルチバンド(ＭＭ−ＭＢ：Ｍｕｌｔｉ Ｍｏｄｅ−Ｍｕｌｔｉ Ｂａｎｄ)端末機などを用いることができる。
【０２５２】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム(例えば、ＣＤＭＡ(Ｃｏｄｅ Ｄｉｖｉｓｉｏｎ Ｍｕｌｔｉｐｌｅ Ａｃｃｅｓｓ)２０００システム、ＷＣＤＭＡ(Ｗｉｄｅｂａｎｄ ＣＤＭＡ)システムなど)のいずれにおいても作動し得る端末機のことを指す。
【０２５３】
本発明の実施例は、様々な手段によって具現することができる。例えば、本発明の実施例は、ハードウェア、ファームウェア(ｆｉｒｍｗａｒｅ)、ソフトウェア、又はそれらの結合などによって具現することができる。
【０２５４】
ハードウェアによる具現の場合、本発明の実施例による方法は、１つ又はそれ以上のＡＳＩＣ(ａｐｐｌｉｃａｔｉｏｎ ｓｐｅｃｉｆｉｃ ｉｎｔｅｇｒａｔｅｄ ｃｉｒｃｕｉｔ)、ＤＳＰ(ｄｉｇｉｔａｌ ｓｉｇｎａｌ ｐｒｏｃｅｓｓｏｒ)、ＤＳＰＤ(ｄｉｇｉｔａｌ ｓｉｇｎａｌ ｐｒｏｃｅｓｓｉｎｇ ｄｅｖｉｃｅ)、ＰＬＤ(ｐｒｏｇｒａｍｍａｂｌｅ ｌｏｇｉｃ ｄｅｖｉｃｅ)、ＦＰＧＡ(ｆｉｅｌｄ ｐｒｏｇｒａｍｍａｂｌｅ ｇａｔｅ ａｒｒａｙ)、プロセッサ、コントローラ、マイクロコントローラ、マイクロプロセッサなどによって具現することができる。
【０２５５】
ファームウェアやソフトウェアによる具現の場合、本発明の実施例による方法は、以上で説明した機能又は動作を行うモジュール、手順又は関数などの形態として具現することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０２５６】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０２５７】
本発明の実施例は、様々な無線接続システムに適用することができる。様々な無線接続システムの一例として３ＧＰＰ(３ｒｄ Ｇｅｎｅｒａｔｉｏｎ Ｐａｒｔｎｅｒｓｈｉｐ Ｐｒｏｊｅｃｔ)又は３ＧＰＰ２システムなどがある。本発明の実施例は、上記様々な無線接続システムの他、上記様々な無線接続システムを応用した全ての技術分野にも適用することができる。さらに、提案した方法は、超高周波帯域を利用するｍｍＷａｖｅ通信システムにも適用することができる。
【図１】
2020509623.tif 000025
【図２】
2020509623.tif 000026
【図３】
2020509623.tif 000027
【図４】
2020509623.tif 000028
【図５】
2020509623.tif 000029
【図６】
2020509623.tif 000030
【図７】
2020509623.tif 000031
【図８】
2020509623.tif 000032
【図９】
2020509623.tif 000033
【図１０】
2020509623.tif 000034
【図１１】
2020509623.tif 000035
【図１２】
2020509623.tif 000036
【図１３】
2020509623.tif 000037
【図１４】
2020509623.tif 000038
【図１５】
2020509623.tif 000039
【図１６】
2020509623.tif 000040
【図１７】
2020509623.tif 000041
【図１８】
2020509623.tif 000042
【図１９】
2020509623.tif 000043
【図２０】
2020509623.tif 000044
【図２１】
2020509623.tif 000045
【図２２】
2020509623.tif 000046
【図２３】
2020509623.tif 000047
【図２４】
2020509623.tif 000048
【図２５】
2020509623.tif 000049
【図２６】
2020509623.tif 000050
【図２７】
2020509623.tif 000051
【図２８（ａ）】
2020509623.tif 000052
【図２８（ｂ）】
2020509623.tif 000053
【図２９】
2020509623.tif 000054
【図３０】
2020509623.tif 000055
【図３１】
2020509623.tif 000056
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
無線通信システムにおいて端末が基地局に上りリンク信号を送信する方法において、
１つ又は２つのシンボルで構成された第１物理上りリンクチャネルと４つ以上のシンボルで構成された第２物理上りリンクチャネルが時間領域で連続する時、
前記第１物理上りリンクチャネルの送信ＯＮ電力の開始に対する第１転移区間は前記第２物理上りリンクチャネル内に設定し、
前記第１物理上りリンクチャネルの送信ＯＮ電力の開始に対する第２転移区間は前記第１物理上りリンクチャネル外に設定して、
前記第１物理上りリンクチャネル及び前記第２物理上りリンクチャネルを送信する、上りリンク信号の送信方法。
【請求項２】
前記第１物理上りリンクチャネルは、
前記時間領域で前記第２物理上りリンクチャネルに後行する、請求項１に記載の上りリンク信号の送信方法。
【請求項３】
前記第１物理上りリンクチャネルの送信オン(ＯＮ)電力の開始時点は、前記第１物理上りリンクチャネルと前記第２物理上りリンクチャネルの境界に設定される、請求項１に記載の上りリンク信号の送信方法。
【請求項４】
前記第１転移区間は、前記第１物理上りリンクチャネルと前記第２物理上りリンクチャネルの境界に位置し、前記第２物理上りリンクチャネルに対応する１つのシンボル内に設定される、請求項１に記載の上りリンク信号の送信方法。
【請求項５】
前記第１物理上りリンクチャネルは１つ又は２つのシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)に対応する、請求項１に記載の上りリンク信号の送信方法。
【請求項６】
前記第２物理上りリンクチャネルは４つ以上のシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)又は物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)に対応する、請求項１に記載の上りリンク信号の送信方法。
【請求項７】
前記第１転移区間と前記第２転移区間は、前記第１物理上りリンクチャネルのシンボル区間内に構成されない、請求項１に記載の上りリンク信号の送信方法。
【請求項８】
無線通信システムにおいて基地局に上りリンク信号を送信する端末において、
送信器と、
前記送信器に連結して動作するプロセッサを含み、
前記プロセッサを、
１つ又は２つのシンボルで構成された第１物理上りリンクチャネルと４つ以上のシンボルで構成された第２物理上りリンクチャネルが時間領域で連続する時、
前記第１物理上りリンクチャネルの送信ＯＮ電力の開始に対する第１転移区間は前記第２物理上りリンクチャネル内に設定し、
前記第１物理上りリンクチャネルの送信ＯＮ電力の開始に対する第２転移区間は前記第１物理上りリンクチャネル外に設定して、
前記第１物理上りリンクチャネル及び前記第２物理上りリンクチャネルを送信するように構成された、端末。
【請求項９】
前記第１物理上りリンクチャネルは、
前記時間領域で前記第２物理上りリンクチャネルに後行する、請求項８に記載の端末。
【請求項１０】
前記第１物理上りリンクチャネルの送信オン(ＯＮ)電力の開始時点は、前記第１物理上りリンクチャネルと前記第２物理上りリンクチャネルの境界に設定される、請求項８に記載の端末。
【請求項１１】
前記第１転移区間は、前記第１物理上りリンクチャネルと前記第２物理上りリンクチャネルの境界に位置し、前記第２物理上りリンクチャネルに対応する１つのシンボル内に設定される、請求項８に記載の端末。
【請求項１２】
前記第１物理上りリンクチャネルは、１つ又は２つのシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)に対応する、請求項８に記載の端末。
【請求項１３】
前記第２物理上りリンクチャネルは、４つ以上のシンボルで構成された物理上りリンク制御チャネル(Ｐｈｙｓｉｃａｌ Ｕｐｌｉｎｋ Ｃｏｎｔｒｏｌ Ｃｈａｎｎｅｌ；ＰＵＣＣＨ)又は物理上りリンク共有チャネル(Ｐｈｙｓｉｃａｌ Ｕｐｌｉｎｋ Ｓｈａｒｅｄ Ｃｈａｎｎｅｌ；ＰＵＳＣＨ)に対応する、請求項８に記載の端末。
【請求項１４】
前記第１転移区間と前記第２転移区間は、前記第１物理上りリンクチャネルのシンボル区間内に構成されない、請求項８に記載の端末。
【国際調査報告】
2020509623.tif 000057
2020509623.tif 000058
2020509623.tif 000059
2020509623.tif 000060